(57)【要約】  収集充電分配装置は、携帯型電気エネルギー貯蔵装置（例えば、バッテリ、スーパー又はウルトラキャパシタ）を収集し、充電し、分配する。請求するために、装置は、送電網又は設置場所の電気設備などの外部供給源からの電流を使用する。装置は、犠牲充電するように特定された第２の数の装置からの電荷を使用して急速充電する第１の数の装置を決定する。したがって、幾つかのサブセットの装置の急速充電を達成するために、電気設備からの電流と他の装置からの電流とによって幾つかの装置が同時に充電されてもよい。犠牲充電する装置は、後で充電されてもよい。これにより、エンドユーザの装置の可用性が保証されることがある。
2014527390.tif 000002
【特許請求の範囲】
【請求項１】
携帯型電気エネルギー貯蔵装置を分配、収集、充電するために少なくとも１つの分配収集充電装置を動作させる方法であって、
制御サブシステムによって、第１の分配収集充電装置に現在着脱自在に配置されている少なくとも第２の数の電気エネルギー貯蔵装置よりも急速充電される、前記第１の分配収集充電装置に現在着脱自在に配置されている第１の数の携帯型電気エネルギー貯蔵装置を特定する工程と、
充電サブシステムによって、関連する有限定格を有する電気設備を介して前記第１の数の携帯型電気エネルギー貯蔵装置を充電する工程と、
前記充電サブシステムによって、前記電気設備を介した前記第１の数の携帯型電気エネルギー貯蔵装置の充電と同時に、少なくとも前記第２の数の携充電気エネルギー貯蔵装置から供給されるエネルギーによって前記第１の数の携充電気エネルギー貯蔵装置を充電する工程とを含む方法。
【請求項２】
前記第１の分配収集充電装置に現在着脱自在に配置されている少なくとも第２の数の電気エネルギー貯蔵装置よりも急速充電される、前記第１の分配収集充電装置に現在着脱自在に配置されている第１の数の携帯型電気エネルギー貯蔵装置を特定する工程が、急速充電用に、満充電の半分より多い少なくとも１つの携帯型電気エネルギー貯蔵装置を特定する工程を含む、請求項１に記載の方法。
【請求項３】
前記第２の数の携帯型電気エネルギー貯蔵装置の一部として、満充電の半分より少ない少なくとも１つの携帯型電気エネルギー貯蔵装置を特定する工程を更に含む、請求項２に記載の方法。
【請求項４】
前記第２の数の携帯型電気エネルギー貯蔵装置の一部として、満充電の第１のしきい値より低くかつ完全放電の第２のしきい値より高い携帯型電気エネルギー貯蔵装置を特定する工程を更に含む、請求項２に記載の方法。
【請求項５】
前記第１の分配収集充電装置に現在着脱自在に配置された少なくとも第２の数の携帯型電気エネルギー貯蔵装置よりも急速充電される、前記第１の分配収集充電装置に現在着脱自在に配置されている第１の数の携帯型電気エネルギー貯蔵装置を特定する工程が、急速充電用に、少なくとも別の携帯型電気エネルギー貯蔵装置より多く充電された少なくとも１つの携帯型電気エネルギー貯蔵装置を特定する工程を含む、請求項１に記載の方法。
【請求項６】
前記電気設備による充電と同時に少なくとも前記第２の数の携帯型電気エネルギー貯蔵装置から供給されたエネルギーによって前記第１の数の携帯型電気エネルギー貯蔵装置を充電する工程が、少なくとも１つのより少なく充電された携帯型電気エネルギー貯蔵装置からのエネルギーを使用して少なくとも１つのより多く充電された携帯型電気エネルギー貯蔵装置を充電する工程を含む、請求項２又は５に記載の方法。
【請求項７】
前記第１の分配収集充電装置に現在着脱自在に配置されている少なくとも第２の数の携帯型電気エネルギー貯蔵装置よりも急速充電される、前記第１の分配収集充電装置に現在着脱自在に配置されている第１の数の携帯型電気エネルギー貯蔵装置を特定する工程が、急速充電用に、満充電の半分より少ない少なくとも１つの携帯型電気エネルギー貯蔵装置を特定する工程と、
前記第２の数の携帯型電気エネルギー貯蔵装置の一部として、満充電の半分より多い少なくとも別の携帯型電気エネルギー貯蔵装置を特定する工程とを含む、請求項１に記載の方法。
【請求項８】
前記第２の数の携帯型電気エネルギー貯蔵装置の一部として、満充電の半分より多い少なくとも１つの携帯型電気エネルギー貯蔵装置を特定する工程を更に含む、請求項１に記載の方法。
【請求項９】
前記第２の数の携帯型電気エネルギー貯蔵装置の一部として、満充電の約８０〜８５パーセント以上の携帯型電気エネルギー貯蔵装置を特定する工程を更に含む、請求項８に記載の方法。
【請求項１０】
前記第１の分配収集充電装置に現在着脱自在に配置された少なくとも第２の数の携帯型電気エネルギー貯蔵装置よりも急速充電される、第１の分配収集充電装置に現在着脱自在に配置された第１の数の携帯型電気エネルギー貯蔵装置を特定する工程が、急速充電用に、少なくとも別の携帯型電気エネルギー貯蔵装置より少なく充電された少なくとも１つの携帯型電気エネルギー貯蔵装置を特定する工程を含む、請求項１に記載の方法。
【請求項１１】
電気設備による充電と同時に少なくとも前記第２の数の携帯型電気エネルギー貯蔵装置から供給されたエネルギーによって前記第１の数の携帯型電気エネルギー貯蔵装置を充電する工程が、少なくとも１つのより少なく充電された携帯型電気エネルギー貯蔵装置からのエネルギーを使用して少なくとも１つのより多く充電された携帯型電気エネルギー貯蔵装置を充電する工程を含む、請求項７、９又は１０に記載の方法。
【請求項１２】
前記第２の数の携帯型電気エネルギー貯蔵装置の一部として、犠牲充電する少なくとも１つの携帯型電気エネルギー貯蔵装置を特定するこ工程を更に含む、請求項１に記載の方法。
【請求項１３】
最初に少なくとも部分放電した携帯型電気エネルギー貯蔵装置を前記第１の分配収集充電装置の第１の位置に着脱自在に収容する工程を更に含み、急速充電される第１の分配収集充電装置に現在着脱自在に配置されている前記第１の数の携帯型電気エネルギー貯蔵装置を特定する前記工程が、前記最初に前記少なくとも部分放電した携帯型電気エネルギー貯蔵装置が前記第１の分配収集充電装置の前記第１の位置に収容されたことに応じて実行される、請求項１に記載の方法。
【請求項１４】
最初に少なくとも部分放電した携帯型電気エネルギー貯蔵装置を前記第１の分配収集充電装置の第１の位置に着脱自在に収容する工程が、個人車両に電力を供給するサイズのバッテリを着脱自在に収容する工程を含む、請求項１３に記載の方法。
【請求項１５】
前記第１の分配収集充電装置の複数の位置のうちの１つの位置における携帯型電気エネルギー貯蔵装置の挿入を検出する工程と、
前記挿入された携帯型電気エネルギー貯蔵装置の充電状態を決定する工程とを含む、請求項１に記載の方法。
【請求項１６】
急速充電用に特定された前記携帯型電気エネルギー貯蔵装置をある期間にわたって繰り返し更新する工程とを含む、請求項１に記載の方法。
【請求項１７】
急速充電用に特定された前記携帯型電気エネルギー貯蔵装置をある期間にわたって繰り返し更新する工程が、前記第１の分配収集充電装置に現在着脱自在に配置されている前記携帯型電気エネルギー貯蔵装置の現在の充電状態と、前記携帯型電気エネルギー貯蔵装置のうちの少なくとも１つの充電率とに少なくとも部分的に基づく、請求項１６に記載の方法。
【請求項１８】
急速充電用に特定された携帯型電気エネルギー貯蔵装置をある期間にわたって繰り返し更新する工程が、前記第１の分配収集充電装置における前記携帯型電気エネルギー貯蔵装置の有無に少なくとも部分的に基づく、請求項１６に記載の方法。
【請求項１９】
急速充電用に特定された携帯型電気エネルギー貯蔵装置をある期間にわたって繰り返し更新する工程が、前記第１の分配収集充電装置に現在着脱自在に配置されている携帯型電気エネルギー貯蔵装置の総数と、前記携帯型電気エネルギー貯蔵装置のそれぞれの充電状態とに少なくとも部分的に基づく、請求項１６に記載の方法。
【請求項２０】
急速充電用に特定された前記携帯型電気エネルギー貯蔵装置をある期間にわたって繰り返し更新する工程が、急速充電用に前記携帯型電気エネルギー貯蔵装置を充電するために犠牲充電できると特定された幾つかの携帯型電気エネルギー貯蔵装置から入手できる全累積電荷に少なくとも部分的に基づく、請求項１９に記載の方法。
【請求項２１】
電気設備を介して前記第１の数の携帯型電気エネルギー貯蔵装置を充電する工程が、外部送電網から従量制電気設備を介して供給された電気設備パネルの幹線によって前記第１の数の携帯型電気エネルギー貯蔵装置に電流を導電供給する工程を含み、少なくとも前記第２の数の携帯型電気エネルギー貯蔵装置から供給されたエネルギーによって前記第１の数の携帯型電気エネルギー貯蔵装置を充電する工程が、前記第２の数の携帯型電気エネルギー貯蔵装置から電流を導電供給する工程を含む、請求項１に記載の方法。
【請求項２２】
携帯型電気エネルギー貯蔵装置を分配、収集及び充電するための分配収集充電装置であって、
それぞれの携帯型電気エネルギー貯蔵装置を着脱自在に収容するようにそれぞれ容量と寸法が決められた複数の収容器と、
前記分配収集充電装置に現在着脱自在に配置されている少なくとも第２の数の電気エネルギー貯蔵装置よりも急速充電される、前記分配収集充電装置に現在着脱自在に配置されている第１の数の携帯型電気エネルギー貯蔵装置を特定する少なくとも１つのコントローラを含む制御サブシステムと、
前記少なくとも１つのコントローラに応じて、電気設備を介して前記第１の数の携帯型電気エネルギー貯蔵装置を充電し、かつ少なくとも前記第２の数の携帯型電気エネルギー貯蔵装置から供給されたエネルギーによって前記第１の数の携帯型電気エネルギー貯蔵装置を同時に充電する充電サブシステムとを含む分配収集充電装置。
【請求項２３】
前記少なくとも１つのコントローラが、急速充電用に、満充電の半分より多いそれぞれの充電状態を有する前記少なくとも１つの携帯型電気エネルギー貯蔵装置に基づいて、少なくとも１つの携帯型電気エネルギー貯蔵装置を特定する、請求項２２に記載の分配収集充電装置。
【請求項２４】
前記少なくとも１つのコントローラが、更に、前記第２の数の携帯型電気エネルギー貯蔵装置として、満充電の半分より少ないそれぞれの充電状態を有する前記少なくとも１つの携帯型電気エネルギー貯蔵装置に基づいて、少なくとも１つの携帯型電気エネルギー貯蔵装置を特定する、請求項２３に記載の分配収集充電装置。
【請求項２５】
前記少なくとも１つのコントローラが、更に、前記第２の数の携帯型電気エネルギー貯蔵装置の一部として、満充電の第１のしきい値と完全放電の第２のしきい値間のそれぞれの充電状態を有する携帯型電気エネルギー貯蔵装置を特定する、請求項２３に記載の分配収集充電装置。
【請求項２６】
前記少なくとも１つのコントローラが、急速充電用に、少なくとも別の携帯型電気エネルギー貯蔵装置より多く充電された少なくとも１つの携帯型電気エネルギー貯蔵装置を特定する、請求項２２に記載の分配収集充電装置。
【請求項２７】
前記充電サブシステムが、少なくとも１つのより少なく充電された携帯型電気エネルギー貯蔵装置からのエネルギーを使用して、少なくとも１つのより多く充電された携帯型電気エネルギー貯蔵装置を充電する、請求項２３又は２６の分配収集充電装置。
【請求項２８】
少なくとも１つのコントローラが、急速充電用に、満充電の半分より少ないそれぞれの充電状態に基づいて少なくとも１つの携帯型電気エネルギー貯蔵装置を特定し、前記第２の数の携帯型電気エネルギー貯蔵装置の一部として、満充電の半分より多いそれぞれの充電状態に基づいて少なくとも別の携帯型電気エネルギー貯蔵装置を特定する、請求項２２に記載の分配収集充電装置。
【請求項２９】
前記少なくとも１つのコントローラが、前記第２の数の携帯型電気エネルギー貯蔵装置の一部として、満充電の半分より多い少なくとも１つの携帯用の電気エネルギー貯蔵装置を特定する、請求項２２に記載の分配収集充電装置。
【請求項３０】
前記少なくとも１つのコントローラが、前記第２の数の携帯型電気エネルギー貯蔵装置の一部として、満充電の約８０〜８５パーセント以上の携帯型電気エネルギー貯蔵装置を特定する、請求項２９に記載の分配収集充電装置。
【請求項３１】
前記少なくとも１つのコントローラが、急速充電用に、少なくとも別の携帯型電気エネルギー貯蔵装置より少なく充電された少なくとも１つの携帯型電気エネルギー貯蔵装置を特定する、請求項２２に記載の分配収集充電装置。
【請求項３２】
前記充電サブシステムが、少なくとも１つのより少なく充電された携帯型電気エネルギー貯蔵装置からのエネルギーを使用して、少なくとも１つのより多く充電された携帯型電気エネルギー貯蔵装置を充電する、請求項２８、３０又は３１に記載の分配収集充電装置。
【請求項３３】
前記少なくとも１つのコントローラが、前記第２の数の携帯型電気エネルギー貯蔵装置の一部として、犠牲充電する少なくとも１つの携帯型電気エネルギー貯蔵装置を特定する、請求項２２に記載の分配収集充電装置。
【請求項３４】
前記少なくとも１つのコントローラが、最初に少なくとも部分放電した携帯型電気エネルギー貯蔵装置が前記分配収集充電装置の前記収容器のうちの第１に収容されたことの検出に応じて、急速充電用に第１の分配収集充電装置に現在着脱自在に配置されている前記第１の数の携帯型電気エネルギー貯蔵装置を特定する、請求項２２に記載の分配収集充電装置。
【請求項３５】
前記第１の分配収集充電装置の前記収容器のうちの前記第１に着脱自在に収容された少なくとも部分放電した携帯型電気エネルギー貯蔵装置が、個人車両に給電するサイズのバッテリである、請求項２２に記載の分配収集充電装置。
【請求項３６】
前記分配収集充電装置の前記収容器のいずれかの携帯型電気エネルギー貯蔵装置の有無を検出するように位置決めされ動作可能な第１の数のセンサと、
前記分配収集充電装置の前記収容器のそれぞれに収容された携帯型電気エネルギー貯蔵装置の充電状態を検出するように位置決めされ動作可能な第２の数のセンサとを含む、請求項２２に記載の分配収集充電装置。
【請求項３７】
前記少なくとも１つのコントローラが、急速充電用に特定された前記携帯型電気エネルギー貯蔵装置を繰り返し更新する、請求項２２の分配収集充電装置。
【請求項３８】
前記少なくとも１つのコントローラが、前記分配収集充電装置のそれぞれの収容器に現在着脱自在に配置されている前記携帯型電気エネルギー貯蔵装置の現在の充電状態に少なくとも部分的に基づいて、急速充電用に特定された前記携帯型電気エネルギー貯蔵装置を繰り返し更新する、請求項３７の分配収集充電装置。
【請求項３９】
前記少なくとも１つのコントローラが、前記分配収集充電装置の前記収容器に現在着脱自在に配置されている前記携帯型電気エネルギー貯蔵装置の有無に少なくとも部分的に基づいて、急速充電用に特定された前記携帯型電気エネルギー貯蔵装置を繰り返し更新する、請求項３７の分配収集充電装置。
【請求項４０】
前記少なくとも１つのコントローラが、前記分配収集充電装置のそれぞれの収容器に現在着脱自在に収容されている携帯型電気エネルギー貯蔵装置の総数と、前記分配収集充電装置のそれぞれの収容器に現在着脱自在に収容されている前記携帯型電気エネルギー貯蔵装置のそれぞれの充電状態とに少なくとも部分的に基づいて、急速充電用に特定された前記携帯型電気エネルギー貯蔵装置を繰り返し更新する、請求項３７に記載の分配収集充電装置。
【請求項４１】
前記少なくとも１つのコントローラが、前記携帯型電気エネルギー貯蔵装置を急速充電するために犠牲充電にできると特定された幾つかの携帯型電気エネルギー貯蔵装置から入手可能な全累積電荷に少なくとも部分的に基づいて、急速充電用に特定された前記携帯型電気エネルギー貯蔵装置を繰り返し更新する、請求項３７に記載の分配収集充電装置。
【請求項４２】
前記充電サブシステムが、外部送電網から従量制電気設備を介して供給された電気設備パネルの幹線を介して電気設備から電力を受け取るために電気的に接続され、前記充電サブシステムが、前記従量制電気設備から受け取った電力の電圧、位相又は電流のうちの少なくとも１つを、二輪個人運搬車両に使用されるサイズの携帯用バッテリの充電に適した形に変換する働きをする電力変換装置を含む、請求項２２に記載の分配収集充電装置。
【請求項４３】
前記収容器のそれぞれの収容器内に位置決めされて、前記収容器に着脱自在に収容された前記携帯型電気エネルギー貯蔵装置のいずれかと電気的に接続する幾つかの電気接点と、
前記コントローラに応じて、前記電気接点のそれぞれを前記電力変換装置に電気的に接続する働きをする第１の複数のスイッチと、
前記コントローラに応じて、前記電気接点のそれぞれを前記電気接点の他の電気接点に電気的に接続する働きをする第２の複数のスイッチとを有する、請求項２２に記載の分配収集充電装置。
【請求項４４】
携帯型電気エネルギー貯蔵装置を分配、収集、充電する分配収集充電装置を動作させるために、プロセッサによって実行可能な命令を記憶するコンピュータ可読媒であって、
前記プロセッサによって、前記第１の分配収集充電装置に現在着脱自在に配置されている少なくとも第２の数の電気エネルギー貯蔵装置よりも急速充電される、前記第１の分配収集充電装置に現在着脱自在に配置されている第１の数の携帯型電気エネルギー貯蔵装置を特定し、
充電サブシステムに、関連した限定定格を有する電気設備を介して前記第１の数の携帯型電気エネルギー貯蔵装置を充電させ、
前記電気設備を介した前記第１の数の携帯型電気エネルギー貯蔵装置の充電と同時に、充電サブシステムに、少なくとも第２の数の携充電気エネルギー貯蔵装置から供給されるエネルギーによって前記第１の数の携充電気エネルギー貯蔵装置を充電させる、命令を記憶するコンピュータ可読媒体。
【請求項４５】
前記命令が、更に、前記コントローラに、満充電の第１のしきい値より低くかつ完全放電の第２のしきい値より高い携帯型電気エネルギー貯蔵装置も含むものとして、前記第２の数の携帯型電気エネルギー貯蔵装置を特定させる、請求項４４に記載の非一時的コンピュータ可読媒体。
【請求項４６】
前記プロセッサが、急速充電用に、少なくとも別の携帯型電気エネルギー貯蔵装置より多く充電された少なくとも１つの携帯型電気エネルギー貯蔵装置を特定することによって、急速充電用の前記第１の数の携帯型電気エネルギー貯蔵装置を特定する、請求項４４に記載の非一時的コンピュータ可読媒体。
【請求項４７】
前記命令が、前記充電回路に、前記少なくとも１つのより少なく充電された携帯型電気エネルギー貯蔵装置からのエネルギーを使用して、前記少なくとも１つのより多く充電された携帯型電気エネルギー貯蔵装置を充電させる、請求項４６の非一時的コンピュータ可読媒体。
【請求項４８】
前記コントローラが、少なくとも別の携帯型電気エネルギー貯蔵装置より少なく充電された少なくとも１つの携帯型電気エネルギー貯蔵装置を急速充電用に特定することによって、急速充電用の前記第１の数の携帯型電気エネルギー貯蔵装置を特定する、請求項４４に記載の非一時的コンピュータ可読媒体。
【請求項４９】
前記命令が、前記プロセッサに、前記充電回路が、前記少なくとも１つのより少なく充電された携帯型電気エネルギー貯蔵装置からのエネルギーを使用して少なくとも１つのより多く充電された携帯型電気エネルギー貯蔵装置を充電するようにさせる、請求項４８に記載の非一時的コンピュータ可読媒体。
【請求項５０】
前記命令が、更に、前記プロセッサに、前記第２の数の携帯型電気エネルギー貯蔵装置の一部として、犠牲充電用の少なくとも１つの携帯型電気エネルギー貯蔵装置を特定させる、請求項４４に記載の非一時的コンピュータ可読媒体。
【請求項５１】
前記第１の分配収集充電装置の複数の収容器のいずれかにおける携帯型電気エネルギー貯蔵装置の挿入を繰り返し検出する工程と、
前記挿入された携帯型電気エネルギー貯蔵装置の充電状態を決定する工程と、
急速充電用に特定された前記携帯型電気エネルギー貯蔵装置をある期間にわたって繰り返し更新する工程とを含む、請求項４４に記載の非一時的コンピュータ可読媒体。
【請求項５２】
急速充電用に特定された前記携帯型電気エネルギー貯蔵装置を繰り返し更新する工程が、前記第１の分配収集充電装置に現在着脱自在に配置されている前記携帯型電気エネルギー貯蔵装置の現在の充電状態に少なくとも部分的に基づく、請求項５１に記載の非一時的コンピュータ可読媒体。
【請求項５３】
急速充電用に特定された携帯型電気エネルギー貯蔵装置をある期間にわたって繰り返し更新する工程が、前記第１の分配収集充電装置における前記携帯型電気エネルギー貯蔵装置の有無に少なくとも部分的に基づく、請求項５１に記載の非一時的コンピュータ可読媒体。
【請求項５４】
急速充電用に特定された携帯型電気エネルギー貯蔵装置をある期間にわたって繰り返し更新する工程が、前記第１の分配収集充電装置に現在着脱自在に配置されている携帯型電気エネルギー貯蔵装置の総数と、前記携帯型電気エネルギー貯蔵装置のそれぞれの充電状態とに少なくとも部分的に基づく、請求項５１に記載の非一時的コンピュータ可読媒体。
【請求項５５】
急速充電用に特定された前記携帯型電気エネルギー貯蔵装置をある期間にわたって繰り返し更新する工程が、前記携帯型電気エネルギー貯蔵装置を急速充電するために犠牲充電できると特定された幾つかの携帯型電気エネルギー貯蔵装置から入手可能な全累積電荷に少なくとも部分的に基づく、請求項５１に記載の非一時的コンピュータ可読媒体。
【発明の詳細な説明】
【技術分野】
【０００１】
関連出願の相互参照
本出願は、３５Ｕ．Ｓ．Ｃ．１１９（ｅ）の下で、「ＡＰＰＡＲＡＴＵＳ，ＭＥＴＨＯＤ  ＡＮＤ  ＡＲＴＩＣＬＥ  ＦＯＲ  ＣＯＬＬＥＣＴＩＯＮ、ＣＨＡＲＧＩＮＧ  ＡＮＤ  ＤＩＳＴＲＩＢＵＴＩＮＧ  ＰＯＷＥＲ  ＳＴＯＲＡＧＥ  ＤＥＶＩＣＥＳ，ＳＵＣＨ  ＡＳ  ＢＡＴＴＥＲＩＥＳ」と題し２０１１年７月２６日に出願された米国仮特許出願第６１／５１１，９００号（代理人整理番号１７０１７８．４０１Ｐ１）、「ＡＰＰＡＲＡＴＵＳ，ＭＥＴＨＯＤ  ＡＮＤ  ＡＲＴＩＣＬＥ  ＦＯＲ  ＣＯＬＬＥＣＴＩＯＮ，ＣＨＡＲＧＩＮＧ  ＡＮＤ  ＤＩＳＴＲＩＢＵＴＩＮＧ  ＰＯＷＥＲ  ＳＴＯＲＡＧＥ  ＤＥＶＩＣＥＳ，ＳＵＣＨ  ＡＳ  ＢＡＴＴＥＲＩＥＳ」と題し２０１２年５月１６日に出願された米国仮特許出願第６１／６４７，９３６号（代理人整理番号１７０１７８．４０１Ｐ２）、「ＡＰＰＡＲＡＴＵＳ，ＭＥＴＨＯＤ  ＡＮＤ  ＡＲＴＩＣＬＥ  ＦＯＲ  ＲＥＤＩＳＴＲＩＢＵＴＩＮＧ  ＰＯＷＥＲ  ＳＴＯＲＡＧＥ  ＤＥＶＩＣＥＳ，ＳＵＣＨ  ＡＳ  ＢＡＴＴＥＲＩＥＳ，ＢＥＴＷＥＥＮ  ＣＯＬＬＥＣＴＩＯＮ，ＣＨＡＲＧＩＮＧ  ＡＮＤ  ＤＩＳＴＲＩＢＵＴＩＯＮ  ＭＡＣＨＩＮＥＳ」と題し２０１１年９月１４日に出願された米国仮特許出願第６１／５３４，７５３３５号（代理人整理番号１７０１７８．４０２）、「ＡＰＰＡＲＡＴＵＳ，ＭＥＴＨＯＤ  ＡＮＤ  ＡＲＴＩＣＬＥ  ＦＯＲ  ＡＵＴＨＥＮＴＩＣＡＴＩＯＮ，ＳＥＣＵＲＩＴＹ  ＡＮＤ  ＣＯＮＴＲＯＬ  ＯＦ  ＰＯＷＥＲ  ＳＴＯＲＡＧＥ  ＤＥＶＩＣＥＳ  ＳＵＣＨ，ＡＳ  ＢＡＴＴＥＲＩＥＳ」と題し２０１１年９月１４日に出願された米国仮特許出願第６１／５３４，７６１号（代理人整理番号１７０１７８．４０３Ｐ１）、「ＡＰＰＡＲＡＴＵＳ，ＭＥＴＨＯＤ  ＡＮＤ  ＡＲＴＩＣＬＥ  ＦＯＲ  ＡＵＴＨＥＮＴＩＣＡＴＩＯＮ，ＳＥＣＵＲＩＴＹ  ＡＮＤ  ＣＯＮＴＲＯＬ  ＯＦ  ＰＯＷＥＲ  ＳＴＯＲＡＧＥ  ＤＥＶＩＣＥＳ，ＳＵＣＨ  ＡＳ  ＢＡＴＴＥＲＩＥＳ，ＢＡＳＥＤ  ＯＮ  ＵＳＥＲ  ＰＲＯＦＩＬＥＳ」と題し２０１１年９月１４日に出願された米国仮特許出願第６１／５３４，７７２号（代理人整理番号１７０１７８．４０４Ｐ１）、「ＴＨＥＲＭＡＬ  ＭＡＮＡＧＥＭＥＮＴ  ＯＦ  ＣＯＭＰＯＮＥＮＴＳ  ＩＮ  ＥＬＥＣＴＲＩＣ  ＭＯＴＯＲ  ＤＲＩＶＥ  ＶＥＨＩＣＬＥＳ」と題し２０１１年７月２６日に出願された米国仮特許出願第６１／５１１，８８７号（代理人整理番号１７０１７８．４０６Ｐ１）、「ＴＨＥＲＭＡＬ  ＭＡＮＡＧＥＭＥＮＴ  ＯＦ  ＣＯＭＰＯＮＥＮＴＳ  ＩＮ  ＥＬＥＣＴＲＩＣ  ＭＯＴＯＲ  ＤＲＩＶＥ  ＶＥＨＩＣＬＥＳ」と題し２０１２年５月１６日に出願された米国仮特許出願第６１／６４７，９４１号（代理人整理番号１７０１７８．４０６Ｐ２）、「ＤＹＮＡＭＩＣＡＬＬＹ  ＬＩＭＩＴＩＮＧ  ＶＥＨＩＣＬＥ  ＯＰＥＲＡＴＩＯＮ  ＦＯＲ  ＢＥＳＴ  ＥＦＦＯＲＴ  ＥＣＯＮＯＭＹ」と題し２０１１年７月２６日に出願された米国仮特許出願第６１／５１１，８８０号（代理人整理番号１７０１７８．４０７Ｐ１）、「ＡＰＰＡＲＡＴＵＳ，ＭＥＴＨＯＤ，ＡＮＤ  ＡＲＴＩＣＬＥ  ＦＯＲ  ＰＨＹＳＩＣＡＬ  ＳＥＣＵＲＩＴＹ  ＯＦ  ＰＯＷＥＲ  ＳＴＯＲＡＧＥ，ＤＥＶＩＣＥＳ  ＩＮ  Ｖ���ＨＩＣＬＥＳ」と題し２０１１年１１月８日に出願された米国仮特許出願第６１／５５７，１７０号（代理人整理番号１７０１７８．４０８Ｐ１）、「ＡＰＰＡＲＡＴＵＳ，ＭＥＴＨＯＤ  ＡＮＤ  ＡＲＴＩＣＬＥ  ＦＯＲ  Ａ  ＰＯＷＥＲ  ＳＴＯＲＡＧＥ  ＤＥＶＩＣＥ，ＣＯＭＰＡＲＴＭＥＮＴ」と題し２０１１年１２月２９日に出願された米国仮特許出願第６１／５８１，５６６号（代理人整理番号１７０１７８．４１２Ｐ１）、「ＡＰＰＡＲＡＴＵＳ，ＭＥＴＨＯＤ  ＡＮＤ  ＡＲＴＩＣＬＥ  ＦＯＲ  ＰＲＯＶＩＤＩＮＧ  ＶＥＨＩＣＬＥ  ＤＩＡＧＮＯＳＴＩＣ  ＤＡＴＡ」と題し２０１２年２月２１日に出願された米国仮特許出願第６１／６０１，４０４号（代理人整理番号１７０１７８．４１７Ｐ１）、「ＡＰＰＡＲＡＴＵＳ，ＭＥＴＨＯＤ  ＡＮＤ  ＡＲＴＩＣＬＥ  ＦＯＲ  ＰＲＯＶＩＤＩＮＧ  ＬＯＣＡＴＩＯＮＳ  ＯＦ  ＰＯＷＥＲ，ＳＴＯＲＡＧＥ  ＤＥＶＩＣＥ  ＣＯＬＬＥＣＴＩＯＮ，ＣＨＡＲＧＩＮＧ  ＡＮＤ  ＤＩＳＴＲＩＢＵＴＩＯＮ  ＭＡＣＨＩＮＥＳ」と題し２０１２年２月２２日に出願された米国仮特許出願第６１／６０１，９４９号（代理人整理番号１７０１７８．４１８Ｐ１）、及び「ＡＰＰＡＲＡＴＵＳ，ＭＥＴＨＯＤ  ＡＮＤ  ＡＲＴＩＣＬＥ  ＦＯＲ  ＰＲＯＶＩＤＩＮＧ  ＩＮＦＯＲＭＡＴＩＯＮ  ＲＥＧＡＲＤＩＮＧ  ＡＶＡＩＬＡＢＩＬＩＴＹ，ＯＦ  ＰＯＷＥＲ  ＳＴＯＲＡＧＥ  ＤＥＶＩＣＥＳ  ＡＴ  Ａ  ＰＯＷＥＲ  ＳＴＯＲＡＧＥ，ＤＥＶＩＣＥ  ＣＯＬＬＥＣＴＩＯＮ，ＣＨＡＲＧＩＮＧ  ＡＮＤ  ＤＩＳＴＲＩＢＵＴＩＯＮ  ＭＡＣＨＩＮＥ」と題し２０１２年２月２２日に出願された米国仮特許出願第６１／６０１，９５３号（代理人整理番号１７０１７８．４１９Ｐ１）の出願日の利益を請求する。
【０００２】
本開示は、一般に、様々な分野又は用途（例えば、乗物用途と非乗物用途）での使用に適することがある充電式電力貯蔵装置（例えば、二次電池、スーパーキャパシタ、ウルトラキャパシタ）の分配に関連する。
【背景技術】
【０００３】
携帯型電力貯蔵装置には様々な使用法又は用途がある。
【０００４】
１つのそのような用途は、輸送の分野である。ハイブリッド自動車と電気自動車が、一般的になってきている。そのような自動車は、従来の内燃機関車両より優れた幾つかの利点を達成することがある。例えば、ハイブリッド又は電気自動車は、より高い燃料経済性を達成することがあり、排気管汚染がほとんどゼロのことがある。特に、電気自動車は、排気管汚染がないだけでなく、より低い全体汚染と関連付けられることがある。例えば、電力は、再生可能資源（例えば、太陽光発電、水力発電）から生成される。また、例えば、電力は、空気汚染を生じない発電設備（例えば、原子力発電所）で生成されることがある。また、例えば、電力は、比較的「クリーン燃焼」の燃料（例えば、天然ガス）を燃やす発電プラントで生成されることがあるが、この発電プラントは、内燃機関より高い効率を有し、かつ／又は個人車両で使用するには大きすぎ、コストが高すぎ又は高価すぎる汚染防止又は除去システム（例えば、産業用空気スクラバ）を使用することがある。
【０００５】
内燃機関によって出力が供給されるスクータ及び／又はモーターバイクなどの個人用輸送車両は、例えば、アジアの多くの大都市の多くの場所に広く普及している。そのようなスクータ及び／又はモーターバイクは、特に自動車、乗用車又はトラックと比較したときに安価な傾向がある。また、多数のエンジンスクータ及び／又はモーターバイクを有する都市は、人口密度がきわめて高くかつ高度な空気汚染に晒されている傾向がある。最近、多くのエンジンスクータ及び／又はモーターバイクは、比較的低汚染の個人輸送手段を装備している。例えば、そのようなスクータ及び／又はモーターバイクは、もっと大きい車両より燃費率が高いことがある。幾つかのスクータ及び／又はモーターバイクは、基本的な汚染防止装置（例えば、触媒コンバータ）を装備していることもある。残念ながら、工場で指定された排気ガスレベルは、スクータ及び／又はモーターバイクが使用されたときにすぐに超えてしまい、かつ／又は、例えば触媒コンバータの意図的又は非意図的の取り外しによりスクータ及び／又はモーターバイクが改良されたときには維持されない。スクータ及び／又はモーターバイクの所有者又はオペレータは、自分の車両を維持する財源又は意欲に欠けることが多い。
【０００６】
空気汚染が、人間の健康に悪影響を及ぼし、様々な疾病の発生又は悪化と関連することが知られている（例えば、様々な報告が、空気汚染を、肺気腫、喘息、肺炎、嚢胞性線維症並びに様々な循環器病に結びつけている）。そのような疾病は、多くの生命を奪い、無数の人の生活の質を深刻に低下させる。
【発明の概要】
【課題を解決するための手段】
【０００７】
内燃機関に替わるゼロ排気管は、空気品質と、したがって多くの人々の健康に極めて有益である。
【０００８】
電気自動車のゼロ排気管排気の長所は理解されているが、多くの人々による電気自動車の採用は遅れている。理由の１つは、コスト、特に二次電池のコストであると考えられる。理由のもう１つは、バッテリの１回の充電で利用できる限られた運転範囲と、放電した二次電池を充電するのに必要な比較的長い時間（例えば、数時間）であると考えられる。
【０００９】
本明細書で述べる手法は、特に密集した都市と、財源が限られた人々において、ゼロ排気管排気技術の採用を制限してきた問題の幾つかに対処することができる。
【００１０】
例えば、本明細書で述べる手法の幾つかは、電力貯蔵装置（例えば、バッテリ、スーパー又はウルトラキャパシタ）を収集、充電、分配するための収集充電分配装置を使用し、この装置は、キオスク又は自動販売機と呼ばれることもある。そのような装置は、コンビニエンスストアや既存のガス又はガソリンスタンドなど、都市や他の地域のあちこちの様々な場所に分散されることがある。
【００１１】
収集充電分配装置は、エンドユーザによる使用のために満充電又はほぼ満充電の電気貯蔵装置の在庫を維持することがある。収集充電分配装置は、例えば、放電した電気貯蔵装置を、例えばエンドユーザから返却されたとき、収集、収容又は他の方法で受け入れ、その後のエンドユーザによる再使用のためにその電気貯蔵装置を充電することがある。
【００１２】
したがって、バッテリや他の電力貯蔵装置の蓄積電荷が終わりに近づいたとき、エンドユーザは、バッテリや他の電力貯蔵装置を単純に置き換えるか、交換するか、他の方法で交換することがある。これは、コスト並びに有限の範囲と比較的長い充電時間と関連した問題に応えることができる。
【００１３】
前述したように、二次電池や他の電力貯蔵装置は、比較的高価である。したがって、できるだけ少ない数の電力貯蔵装置を在庫し、同時にそれらの電力貯蔵装置の需要が満たされるようにすると好都合である。
【００１４】
これらの理由のため、そのような努力の商業的成功には、電力貯蔵装置を迅速に再充電して利用できることが重要である。本明細書では、電力貯蔵装置を迅速に充電できる幾つかの手法について述べる。そのような手法は、一般に、幾つかの電力貯蔵装置のうちの特定の電力貯蔵装置を、電気設備からの電力と、また電力貯蔵装置のうちの犠牲充電するように選択した他の電力貯蔵装置からの電力とを使用して再充電する。例えば、より少なく充電されたバッテリを使用して、より多く充電されたバッテリをより迅速に充電することができる。あるいは、より多く充電されたバッテリを使用して、より少なく充電されたバッテリをより急速充電することができる。
【００１５】
これらの手法は、電気設備が制限され、例えば特定の定格（例えば、１２０ボルト、２４０ボルト、２２０ボルト、２３０ボルト、１５アンペア）に制限されている場合に有益なことがある。そのような手法は、特に、収集充電分配装置が、小売店やコンビニエンスストアなどの既存の場所に配置された場合に有利なことがある。これにより、収集充電分配装置を、電気設備の改良費用なしに設置することができ、更に既存の電気設備だけを使用して、他の方法よりも迅速又は急速充電を達成することができる。例えば、これにより、電気設備を１２０ボルトから２４０ボルトに高めかつ／又は単相サービスから三相サービスに移行しなくてもよくなる。これらの手法は、また、例えば、保守、技術的問題、天候、自然災害などによって、特定の場所への電気設備又は送電網が制限されているか機能していないときに有益なことがある。電気設備又は送電網が、制限されているか又は機能していないときに、特定の電気エネルギー貯蔵装置を充電するために使用される本明細書で述べる手法は、電気設備及び／又は送電網が利用可能又は機能しているときに第１の数の電気エネルギー貯蔵装置の充電に使用される第２の数の電気エネルギー貯蔵装置の数よりも多い数の第２の数の電気エネルギー貯蔵装置を使用して、第１の数の電気エネルギー貯蔵装置を充電してもよい。
【００１６】
携帯型電気エネルギー貯蔵装置を分配、収集、充電するための分配収集充電装置を動作させる方法は、要約すると、制御サブシステムによって、第１の分配収集充電装置に現在着脱自在に配置されている少なくとも第２の数の携帯型電気エネルギー貯蔵装置よりも急速充電される、第１の分配収集充電装置に現在着脱自在に配置されている第１の数の携帯型電気エネルギー貯蔵装置を特定する工程と、充電サブシステムによって、関連した有限定格を有する電気設備を介して第１の数の携帯型電気エネルギー貯蔵装置を充電する工程と、電気設備を介した第１の数の携帯型電気エネルギー貯蔵装置の充電と同時に、充電サブシステムによって、少なくとも第２の数の携帯型電気エネルギー貯蔵装置から供給されたエネルギーによって第１の数の携帯型電気エネルギー貯蔵装置を充電する工程とを含む。
【００１７】
第１の分配収集充電装置に現在着脱自在に配置されている少なくとも第２の数の携帯型電気エネルギー貯蔵装置よりも急速充電される、第１の数の分配収集充電装置に現在着脱自在に配置されている第１の数の携帯型電気エネルギー貯蔵装置を特定する工程が、急速充電用に、満充電の半分より多い少なくとも１つの携帯型電気エネルギー貯蔵装置を特定する工程を含んでもよい。
【００１８】
分配収集充電装置を動作させる方法が、更に、第２の数の携帯型電気エネルギー貯蔵装置の一部として、満充電の半分より少ない少なくとも１つの携帯型電気エネルギー貯蔵装置を特定する工程を含んでもよい。
【００１９】
分配収集充電装置を動作させる方法が、更に、第２の数の携帯型電気エネルギー貯蔵装置の一部として、満充電の第１のしきい値より低くかつ完全放電の第２のしきい値より高い携帯型電気エネルギー貯蔵装置を特定する工程を含んでもよい。
【００２０】
第１の分配収集充電装置に現在着脱自在に配置されている少なくとも第２の数の携帯型電気エネルギー貯蔵装置よりの急速充電される、第１の数の分配収集充電装置に現在着脱自在に配置されている第１の数の携帯型電気エネルギー貯蔵装置を特定する工程が、急速充電用に、少なくとも別の携帯型電気エネルギー貯蔵装置より多く充電された少なくとも１つの携帯型電気エネルギー貯蔵装置を特定する工程を含んでもよい。
【００２１】
電気設備による充電と同時に少なくとも第２の数の携帯型電気エネルギー貯蔵装置から供給されるエネルギーによって、第１の数の携帯型電気エネルギー貯蔵装置を充電する工程が、少なくと１つのより少なく充電された携帯型電気エネルギー貯蔵装置からのエネルギーを使用して、少なくとも１つのより多く充電された携帯型電気エネルギー貯蔵装置を充電する工程を含んでもよい。
【００２２】
第１の分配収集充電装置に現在着脱自在に配置されている少なくとも第２の数の携帯型電気エネルギー貯蔵装置よりも急速充電される、第１の数の分配収集充電装置に現在着脱自在に配置されている第１の数の携帯型電気エネルギー貯蔵装置を特定する工程が、急速充電用に、満充電の半分より少ない少なくとも１つの携帯型電気エネルギー貯蔵装置を特定する工程と、第２の数の携帯型電気エネルギー貯蔵装置の一部として、満充電の半分より多い少なくとも別の携帯型電気エネルギー貯蔵装置を特定する工程とを含んでもよい。
【００２３】
分配収集充電装置を動作させる方法が、更に、第２の数の携帯型電気エネルギー貯蔵装置の一部として、満充電の半分より多い少なくとも１つの携帯型電気エネルギー貯蔵装置を特定する工程を含んでもよい。
【００２４】
分配収集充電装置を動作させる方法は、更に、第２の数の携帯型電気エネルギー貯蔵装置の一部として、満充電の約７５パーセント以上、例えば少なくとも８０パーセント又は少なくとも８５パーセント充電された携帯型電気エネルギー貯蔵装置を特定する工程を含んでもよい。
【００２５】
第１の分配収集充電装置に現在着脱自在に配置されている少なくとも第２の数の携帯型電気エネルギー貯蔵装置よりも急速充電される、第１の数の分配収集充電装置に現在着脱自在に配置されている第１の数の携帯型電気エネルギー貯蔵装置を特定する工程が、急速充電用に、少なくとも別の携帯型電気エネルギー貯蔵装置より少なく充電された少なくとも１つの携帯型電気エネルギー貯蔵装置を特定する工程を含んでもよい。
【００２６】
電気設備による充電と同時に少なくとも第２の数の携帯型電気エネルギー貯蔵装置から供給されるエネルギーによって第１の数の携帯型電気エネルギー貯蔵装置を充電する工程が、少なくとも１つのより少なく充電された携帯型電気エネルギー貯蔵装置からのエネルギーを使用して少なくとも１つのより多く充電された携帯型電気エネルギー貯蔵装置を充電する工程を含んでもよい。
【００２７】
分配収集充電装置を動作させる方法が、更に、第２の数の携帯型電気エネルギー貯蔵装置の一部として、犠牲充電する少なくとも１つの携帯型電気エネルギー貯蔵装置を特定する工程を含んでもよい。
【００２８】
分配収集充電装置を動作させる方法が、更に、最初に、少なくとも部分放電した携帯型電気エネルギー貯蔵装置を、第１の分配収集充電装置の第１の位置に着脱自在に収容する工程を含んでもよく、急速充電用に第１の分配収集充電装置に現在着脱自在に配置されている第１の数の携帯型電気エネルギー貯蔵装置を特定する工程が、最初に少なくとも部分放電した携帯型電気エネルギー貯蔵装置が、第１の分配収集充電装置の第１の位置に収容される工程に応じて行なわれる。
【００２９】
最初に少なくとも部分放電した携帯型電気エネルギー貯蔵装置を、第１の分配収集充電装置の第１の位置に着脱自在に収容する工程が、個人車両に給電するようにサイズが決められたバッテリを着脱自在に収容する工程を含んでもよい。
【００３０】
分配収集充電装置を動作させる方法が、更に、第１の分配収集充電装置の複数の位置のうちの１つの位置における携帯型電気エネルギー貯蔵装置の挿入を検出する工程と、挿入された携帯型電気エネルギー貯蔵装置の充電状態を決定する工程とを含んでもよい。
【００３１】
分配収集充電装置を動作させる方法が、更に、急速充電用に特定された携帯型電気エネルギー貯蔵装置をある期間にわたって繰り返し更新する工程を含んでもよい。
【００３２】
急速充電用に特定された携帯型電気エネルギー貯蔵装置をある時間にわたって繰り返し更新する工程が、更に、少なくとも部分的に、第１の分配収集充電装置に現在着脱自在に配置されている携帯型電気エネルギー貯蔵装置の現在の充電状態と、携帯型電気エネルギー貯蔵装置のうちの少なくとも１つの携帯型電気エネルギー貯蔵装置の充電率とに基づいてもよい。急速充電用に特定された携帯型電気エネルギー貯蔵装置をある時間にわたって繰り返し更新する工程が、少なくとも部分的に、第１の分配収集充電装置における携帯型電気エネルギー貯蔵装置の有無に基づいてもよい。急速充電用に特定された携帯型電気エネルギー貯蔵装置をある期間にわたって繰り返し更新する工程が、少なくとも部分的に、第１の分配収集充電装置に現在着脱自在に配置されている携帯型電気エネルギー貯蔵装置の総数と、各携帯型電気エネルギー貯蔵装置のそれぞれの充電状態とに基づいてもよい。急速充電用に特定された携帯型電気エネルギー貯蔵装置をある期間にわたって繰り返し更新する工程が、少なくとも部分的に、急速充電される携帯型電気エネルギー貯蔵装置を充電するために犠牲充電できると特定された幾つかの携帯型電気エネルギー貯蔵装置から入手可能な全累積電荷に基づいてもよい。
【００３３】
電気設備を介して第１の数の携帯型電気エネルギー貯蔵装置を充電する工程が、外部送電網から従量制電気設備を介して供給される電気設備パネルの幹線によって、第１の数の携帯型電気エネルギー貯蔵装置に電流を導電供給する工程を含んでもよく、少なくとも第２の数の携帯型電気エネルギー貯蔵装置から供給されたエネルギーによって第１の数の携帯型電気エネルギー貯蔵装置を充電する工程が、第２の数の携帯型電気エネルギー貯蔵装置から電流を導電供給する工程を含んでもよい。
【００３４】
携帯型電気エネルギー貯蔵装置を分配、収集、充電するための分配収集充電装置を動作させる方法が、制御サブシステムによって、第１の分配収集充電装置に着脱自在に配置されている少なくとも第２の数の携帯型電気エネルギー貯蔵装置よりも急速充電される、第１の分配収集充電装置に現在着脱自在に配置されている第１の数の携帯型電気エネルギー貯蔵装置を特定する工程と、電気設備が利用できないときに、充電サブシステムによって第１の数の携帯型電気エネルギー貯蔵装置を充電する工程と、充電サブシステムによって、少なくとも第２の数の携帯型電気エネルギー貯蔵装置から供給されたエネルギーによって第１の数の携帯型電気エネルギー貯蔵装置を充電する工程とを含むように要約されることがある。
【００３５】
携帯型電気エネルギー貯蔵装置を分配、収集、充電するための分配収集充電装置が、それぞれの携帯型電気エネルギー貯蔵装置を着脱自在に収容するようにそれぞれ容量と寸法が決められた幾つかの収容器と、分配収集充電装置に現在着脱自在に配置されている少なくとも第２の数の携帯型電気エネルギー貯蔵装置よりも急速充電される、分配収集充電装置に現在着脱自在に配置されている第１の数の携帯型電気エネルギー貯蔵装置を特定する少なくとも１つのコントローラを含む制御サブシステムと、少なくとも１つのコントローラに応答して、第１の数の携帯型電気エネルギー貯蔵装置を電気設備を介して充電し、同時に少なくとも第２の数の携帯型電気エネルギー貯蔵装置から供給されたエネルギーによって、第１の数の携帯型電気エネルギー貯蔵装置を充電する充電サブシステムとを含む。
【００３６】
少なくとも１つのコントローラが、急速充電用に、満充電の半分より多いそれぞれの充電状態を有する少なくとも１つの携帯型電気エネルギー貯蔵装置に基づいて、少なくとも１つの携帯型電気エネルギー貯蔵装置を特定してもよい。少なくとも１つのコントローラは、更に、第２の数の携帯型電気エネルギー貯蔵装置の一部として、満充電の半分より少ないそれぞれの充電状態を有する少なくとも１つの携帯型電気エネルギー貯蔵装置に基づいて、少なくとも１つの携帯型電気エネルギー貯蔵装置を特定してもよい。少なくとも１つのコントローラは、更に、第２の数の携帯型電気エネルギー貯蔵装置の一部として、満充電の第１のしきい値と完全放電の第２のしきい値との間のそれぞれの充電状態を有する携帯型電気エネルギー貯蔵装置を特定してもよい。少なくとも１つのコントローラは、急速充電用に、少なくとも別の携帯型電気エネルギー貯蔵装置より多く充電された少なくとも１つの携帯型電気エネルギー貯蔵装置を特定してもよい。充電サブシステムは、少なくとも１つのより少なく充電された携帯型電気エネルギー貯蔵装置からのエネルギーを使用して、少なくとも１つのより多く充電された携帯型電気エネルギー貯蔵装置を充電してもよい。
【００３７】
少なくとも１つのコントローラは、急速充電用に、満充電の半分より少ないそれぞれの充電状態に基づいて少なくとも１つの携帯型電気エネルギー貯蔵装置を特定してもよく、第２の数の携帯型電気エネルギー貯蔵装置の一部として、満充電の半分より多いそれぞれの充電状態に基づいて少なくとも別の携帯型電気エネルギー貯蔵装置を特定してもよい。少なくとも１つのコントローラは、第２の数の携帯型電気エネルギー貯蔵装置の一部として、満充電の半分より多い少なくとも１つの携帯型電気エネルギー貯蔵装置を特定してもよい。少なくとも１つのコントローラは、更に、第２の数の携帯型電気エネルギー貯蔵装置の一部として、満充電の約７５パーセント以上、例えば満充電の８０パーセントを超え又は８５パーセントを超える携帯型電気エネルギー貯蔵装置を特定してもよい。少なくとも１つのコントローラは、急速充電用に、少なくとも別の携帯型電気エネルギー貯蔵装置より少なく充電された少なくとも１つの携帯型電気エネルギー貯蔵装置を特定してもよい。充電サブシステムは、少なくとも１つのより多く充電された携帯型電気エネルギー貯蔵装置を、少なくとも１つのより少なく充電された携帯型電気エネルギー貯蔵装置からのエネルギーを使用して充電してもよい。
【００３８】
少なくとも１つのコントローラは、更に、第２の数の携帯型電気エネルギー貯蔵装置の一部として、犠牲充電する少なくとも１つの携帯型電気エネルギー貯蔵装置を特定してもよい。
【００３９】
少なくとも１つのコントローラは、最初に少なくとも部分放電した携帯型電気エネルギー貯蔵装置が分配収集充電装置の収容器のうちの第１に収容されたことの検出に応じて、急速充電される第１の分配収集充電装置に現在着脱自在に配置されている第１の数の携帯型電気エネルギー貯蔵装置を特定してもよい。第１の分配収集充電装置の収容器のうちの第１に着脱自在に収容された少なくとも部分放電した携帯型電気エネルギー貯蔵装置が、個人車両に給電するように容量が決められたバッテリであってもよい。
【００４０】
分配収集充電装置は、更に、分配収集充電装置の収容器のいずれかにおける携帯型電気エネルギー貯蔵装置の有無を検出するように位置決めされ機能する第１の数のセンサと、分配収集充電装置の収容器のそれぞれに収容された任意の携帯型電気エネルギー貯蔵装置の充電状態を検出するように位置決めされ機能する第２の数のセンサとを有してもよい。
【００４１】
少なくとも１つのコントローラは、急速充電用に特定された携帯型電気エネルギー貯蔵装置を繰り返し更新してもよい。少なくとも１つのコントローラは、分配収集充電装置のそれぞれの収容器に現在着脱自在に配置されている携帯型電気エネルギー貯蔵装置の現在の充電状態に少なくとも部分的に基づいて、急速充電用に特定された携帯型電気エネルギー貯蔵装置を繰り返し更新してもよい。少なくとも１つのコントローラは、分配収集充電装置の収容器内の携帯型電気エネルギー貯蔵装置の有無に少なくとも部分的に基づいて、急速充電用に特定された携帯型電気エネルギー貯蔵装置を繰り返し更新してもよい。少なくとも１つのコントローラは、分配収集充電装置のそれぞれの収容器によって現在着脱自在に収容されている携帯型電気エネルギー貯蔵装置の総数と、分配収集充電装置のそれぞれの収容器に現在着脱自在に収容されている各携帯型電気エネルギー貯蔵装置のそれぞれの充電状態とに少なくとも部分的に基づいて、急速充電用に特定された携帯型電気エネルギー貯蔵装置を繰り返し更新してもよい。少なくとも１つのコントローラは、急速充電される携帯型電気エネルギー貯蔵装置を充電するために犠牲充電できると特定された幾つかの携帯型電気エネルギー貯蔵装置から入手可能な全累積電荷に少なくとも部分的に基づいて、急速充電用に特定された携帯型電気エネルギー貯蔵装置を繰り返し更新してもよい。充電サブシステムは、外部送電網から従量制電気設備を介して供給された電気設備パネルの幹線を介して電気設備から電力を受け取るように電気的に接続されてもよく、充電サブシステムは、従量制電気設備から受け取った電力の電圧、位相又は電流の少なくとも１つを、二輪個人用運搬用車両に使用するために容量が決められた携帯型バッテリを充電するのに適した形態に変換する電力変換装置を含んでもよい。
【００４２】
分配収集充電装置は、更に、収容器に着脱自在に収容された携帯型電気エネルギー貯蔵装置のいずれかと電気的に接続するために各収容器に位置決めされた幾つかの電気接点と、コントローラに応じて選択的に、電気接点のそれぞれを電力変換装置に電気的に接続する働きをする第１の複数のスイッチ、及びコントローラに応じて選択的に、電気接点のそれぞれを互いに電気的に接続する働きをする第２の複数のスイッチとを含んでもよい。
【００４３】
携帯型電気エネルギー貯蔵装置を分配、収集、充電するための分配収集充電装置は、要約すると、それぞれの携帯型電気エネルギー貯蔵装置を着脱自在に収容するようにそれぞれ容量と寸法が決められた幾つかの収容器と、分配収集充電装置に現在着脱自在に配置されている少なくとも第２の数の携帯型電気エネルギー貯蔵装置よりも急速充電される、分配収集充電装置に現在着脱自在に配置されている第１の数の携帯型電気エネルギー貯蔵装置を特定する少なくとも１つのコントローラを含む制御サブシステムと、少なくとも１つのコントローラに応じて、少なくとも第２の数の携帯型電気エネルギー貯蔵装置から供給されたエネルギーによって電気設備が利用できないときに第１の数の携帯型電気エネルギー貯蔵装置を充電する充電サブシステムとを含む。
【００４４】
非一時的コンピュータ可読媒体は、プロセッサによって、第１の分配収集充電装置に現在着脱自在に配置されている少なくとも第２の数の携帯型電気エネルギー貯蔵装置よりも急速充電される、第１の分配収集充電装置に現在着脱自在に配置されている第１の数の携帯型電気エネルギー貯蔵装置を特定し、充電サブシステムに、関連した有限定格を有する電気設備を介して第１の数の携帯型電気エネルギー貯蔵装置を充電させ、充電サブシステムに、電気設備を介した第１の数の携帯型電気エネルギー貯蔵装置の充電と同時に、少なくとも第２の数の携帯型電気エネルギー貯蔵装置から供給されたエネルギーによって、第１の数の携帯型電気エネルギー貯蔵装置を充電することにより、携帯型電気エネルギー貯蔵装置を分配、収集、充電する分配収集充電装置を動作させるためにプロセッサによって実行可能な命令を記憶する非一時的コンピュータ可読媒体として要約され得る。
【００４５】
命令は、更に、コントローラに、第２の数の携帯型電気エネルギー貯蔵装置を、満充電の第１のしきい値より低くかつ完全放電の第２のしきい値より高い携帯型電気エネルギー貯蔵装置を含むように特定されてもよい。プロセッサは、急速充電用に、少なくとも別の携帯型電気エネルギー貯蔵装置より多く充電された少なくとも１つの携帯型電気エネルギー貯蔵装置を特定することによって、急速充電される第１の数の携帯型電気エネルギー貯蔵装置を特定してもよい。命令は、充電回路に、少なくとも１つのより少なく充電された携帯型電気エネルギー貯蔵装置からのエネルギーを使用して、少なくとも１つのより多く充電された携帯型電気エネルギー貯蔵装置を充電させてもよい。
【００４６】
コントローラは、急速充電用に、少なくとも別の携帯型電気エネルギー貯蔵装置より少なく充電された少なくとも１つの携帯型電気エネルギー貯蔵装置を特定する工程によって、急速充電用の第１の数の携帯型電気エネルギー貯蔵装置を特定してもよい。命令は、プロセッサが、充電回路に、少なくとも１つのより少なく充電された携帯型電気エネルギー貯蔵装置からのエネルギーを使用して、少なくとも１つのより多く充電された携帯型電気エネルギー貯蔵装置を充電させてもよい。
【００４７】
命令は、更に、プロセッサに、第２の数の携帯型電気エネルギー貯蔵装置の一部として、犠牲充電用に少なくとも１つの携帯型電気エネルギー貯蔵装置を特定させてもよい。
【００４８】
非一時的コンピュータ可読媒体は、更に、第１の分配収集充電装置の複数の収容器のいずれかにおける携帯型電気エネルギー貯蔵装置の挿入を繰り返し検出することと、挿入された携帯型電気エネルギー貯蔵装置の充電状態を決定することと、急速充電用に特定された携帯型電気エネルギー貯蔵装置をある期間にわたって繰り返し更新することを含んでもよい。
【００４９】
急速充電用に特定された携帯型電気エネルギー貯蔵装置を繰り返し更新する工程が、第１の分配収集充電装置に現在着脱自在に配置されている携帯型電気エネルギー貯蔵装置の現在の充電状態に少なくとも部分的に基づくものでもよい。急速充電用に特定された携帯型電気エネルギー貯蔵装置を繰り返し更新する工程が、第１の分配収集充電装置における携帯型電気エネルギー貯蔵装置の有無に少なくとも部分的に基づいてもよい。急速充電用に特定された携帯型電気エネルギー貯蔵装置を繰り返し更新する工程が、第１の分配収集充電装置に現在着脱自在に配置されている携帯型電気エネルギー貯蔵装置の総数と、各携帯型電気エネルギー貯蔵装置のそれぞれの充電状態とに少なくとも部分的に基づいてもよい。急速充電用に特定された携帯型電気エネルギー貯蔵装置を繰り返し更新する工程が、急速充電される携帯型電気エネルギー貯蔵装置を充電するために、犠牲充電用に特定された幾つかの携帯型電気エネルギー貯蔵装置から入手できる全累積電荷に少なくとも部分的に基づいてもよい。
【００５０】
非一時的コンピュータ可読媒体は、プロセッサによって、第１の分配収集充電装置に現在着脱自在に配置されている少なくとも第２の数の携帯型電気エネルギー貯蔵装置より急速充電される、第１の分配収集充電装置に現在着脱自在に配置されている第１の数の携帯型電気エネルギー貯蔵装置を特定し、電気設備が利用できないときに、充電サブシステムに、少なくとも第２の数の携帯型電気エネルギー貯蔵装置から供給されたエネルギーによって第１の数の携帯型電気エネルギー貯蔵装置を充電させることによって携帯型電気エネルギー貯蔵装置を分配、収集、充電するための分配収集充電装置を動作させるために、プロセッサによって実行可能な命令を記憶する非一時的コンピュータ可読媒体として要約され得る。
【００５１】
図面では、同一の参照番号は、類似の要素又は行為を示す。図面内の要素のサイズと相対位置は、必ずしも一律の倍率で描かれない。例えば、様々な要素の形状と角度は、一律の倍率で描かれておらず、これらの要素の幾つかは、図面の可読性を改善するために任意に拡大され位置決めされる。更に、描かれた要素の特定の形状は、特定の要素の実際形状に関する情報を伝えるものではなく、単に図面で理解し易いように選択されている。
【図面の簡単な説明】
【００５２】
【図１】１つの非限定的に示された実施形態による幾つかの電力貯蔵装置と収集充電分配装置を、電気スクータ又はモーターバイク、及び送電網によって提供される電気設備と共に示す概略図である。
【図２】１つの非限定的に示された実施形態による図１の収集充電分配装置のブロック図である。
【図３】（ａ）は図１と図２の収集充電分配装置の１つの示された実施形態による、第２の数の電力貯蔵装置による犠牲充電によって部分的に充電される第１の数の電力貯蔵装置を示す図である。（ｂ）は図１と図２の収集充電分配装置の１つの示された実施形態による、第２の数の電力貯蔵装置による犠牲充電によって部分的に充電される第１の数の電力貯蔵装置を示す図である。
【図４】（ａ）は図１と図２の収集充電分配装置の１つの示された実施形態による、第２の単一電力貯蔵装置による犠牲充電により部分的に充電される第１の単一電力貯蔵装置を示す図である。（ｂ）は図１と図２の収集充電分配装置の１つの示された実施形態による、第２の複数の電力貯蔵装置による犠牲充電によって部分的に充電される第１の単一電力貯蔵装置の図である。
【図５】１つの非限定的に示された実施形態による、図１と図２の収集充電分配装置を動作させて電力貯蔵装置を収集、充電、分配する高レベルの方法を示す流れ図である。
【図６】図３の方法に役立つ、急速充電するか又は犠牲充電する特定の携帯型電気エネルギー貯蔵装置を特定する工程を含む、１つの非限定的に示された実施形態による、図１と図２の収集充電分配装置を動作させる低レベルの方法を示す流れ図である。
【図７】図３の方法に役立つ、犠牲充電する特定の携帯型電気エネルギー貯蔵装置を特定する工程を含む、１つの非限定的に示された実施形態による、図１と図２の収集充電分配装置を動作させる低レベルの方法を示す流れ図である。
【図８】図３の方法に役立つ、急速充電用に特定の携帯型電気エネルギー貯蔵装置を特定する工程と、選択された装置を充電する工程を含む、１つの非限定的に示された実施形態による、図１と図２の収集充電分配装置を動作させる低レベルの方法を示す流れ図である。
【図９】図３の方法に役立つ、急速充電又は犠牲充電する特定の携帯型電気エネルギー貯蔵装置を特定する工程と、選択された装置を充電する工程とを含む、１つの非限定的に示された実施形態による、図１と図２の収集充電分配装置を動作させる低レベルの方法を示す流れ図である。
【図１０】図３の方法に役立つ、犠牲充電する特定の携帯型電気エネルギー貯蔵装置を特定する工程を含む、１つの非限定的に示された実施形態による、図１と図２の収集充電分配装置を動作させる低レベルの方法を示す流れ図である。
【図１１】図３の方法に役立つ、急速充電用に特定の携帯型電気エネルギー貯蔵装置を特定する工程と、選択された装置を充電する工程とを含む、１つの非限定的に示された実施形態により図１と図２の収集充電分配装置を動作させる低レベルの方法を示す流れ図である。
【図１２】図３の方法に役立つ、携帯型電気エネルギー貯蔵装置の挿入を検出する工程と、携帯型電気エネルギー貯蔵装置の充電状態を決定する工程と、これに応じて急速充電用の装置の特定を更新する工程とを含む、１つの非限定的に示された実施形態による図１と図２の収集充電分配装置を動作させる低レベルの方法を示す流れ図である。
【図１３】図３の方法に役立つ、現在（即ち、一時的）の充電状態に少なくとも部分的に基づいて急速充電用に特定された携帯型電気エネルギー貯蔵装置を更新する工程とを含む、１つの非限定的に示された実施形態による、図１と図２の収集充電分配装置を動作させる低レベルの方法を示す流れ図である。
【図１４】図３の方法に役立つ、携帯型電気エネルギー貯蔵装置の有無の検出に少なくとも部分的に基づいて、急速充電用に特定された携帯型電気エネルギー貯蔵装置を更新する工程とを含む、１つの非限定的に示された実施形態による図１と図２の収集充電分配装置を動作させる低レベルの方法を示す流れ図である。
【図１５】図３の方法に役立つ、携帯型電気エネルギー貯蔵装置の総数とそれぞれの充電状態に少なくとも部分的に基づいて、急速充電用に特定された携帯型電気エネルギー貯蔵装置を更新する工程とを含む、１つの非限定的に示された実施形態による図１と図２の収集充電分配装置を動作させる低レベルの方法を示す流れ図である。
【図１６】図３の方法に役立つ、犠牲にできる総累積電荷に少なくとも部分的に基づいて急速充電用に特定された携帯型電気エネルギー貯蔵装置を更新する工程とを含む、１つの非限定的に示された実施形態による図１と図２の収集充電分配装置を動作させる低レベルの方法を示す流れ図である。
【図１７】図３の方法に役立つ、電気設備から犠牲充電するように選択された少なくとも１つの携帯型電力貯蔵装置から同時に、急速充電するように選択された携帯型電力貯蔵装置に電流を導電供給する工程とを含む、１つの非限定的に示された実施形態による図１と図２の収集充電分配装置を動作させる低レベルの方法を示す流れ図である。
【発明を実施するための形態】
【００５３】
以下の説明では、種々の開示した実施形態の完全な理解を提供するために、幾つかの特定の詳細が示される。しかしながら、当業者は、実施形態を、そのような特定の詳細の１つ以上なしに又は他の方法、構成要素、材料などと共に実施してもよいことを理解するであろう。他の例では、実施形態の説明を無駄に分かりにくくしないように、変圧器、整流器、ＤＣ／ＤＣ電力変換装置、スイッチモード電力変換装置、コントローラ、並びに通信システム、構造及びネットワークを含むがこれらに限定されない自動販売機、バッテリ、スーパー又はウルトラキャパシタ、電力変換装置と関連した周知の構造物は、詳細に示されずまた記述されない。
【００５４】
文脈で特に必要とされない限り、以下の明細と特許請求の範囲全体にわたって、用語「comprise：有する、備える、含む」と、「comprises」や「comprising」などの変形は、「〜を含むがそれらに限定されない」という制限でない包括的な意味に解釈されるべきである。
【００５５】
本明細書全体にわたって、「one embodiment」又は「an embodiment」（実施例）は、実施例と関連して説明される特定の特徴、構造又は特性が、少なくとも１つの実施形態に含まれることを意味する。したがって、本明細書全体にわたって様々な場所に現れる句「in one embodiment」又は「in an embodiment」は、全て同じ実施形態を参照するとは限らない。
【００５６】
第１、第２、第３などの序数の使用は、必ずしも格付けされた順序を意味するものではなく、行為又は構造の複数の実例を区別するだけのことがある。
【００５７】
携帯型電力貯蔵装置の言及は、バッテリ、スーパー又はウルトラキャパシタを含むがこれらに限定されない電力を貯蔵し貯蔵された電力を放出することができる任意の装置を意味する。バッテリの言及は、化学的蓄電池、例えば、ニッケルカドミウム電池やリチウムイオン電池を含むがこれらに限定されない充電式電池又は二次電池を意味する。
【００５８】
本明細書で示される見出しと開示内容の要約は、単に便宜上のものであり、実施形態の趣旨又は意味を解釈するものではない。
【００５９】
図１は、１つの示された実施形態による収集充電分配装置１０２を含む環境１００を示す。
【００６０】
収集充電分配装置１０２は、自動販売機又はキオスクの形態を取ることがある。収集充電分配装置１０２は、携帯型電気エネルギー貯蔵装置（例えば、バッテリ、スーパー又はウルトラキャパシタ）１０６ａ〜１０６ｎ（集合的に１０６）を収集充電分配のために着脱自在に収容する複数の収容器、区画又はレセプタクル１０４ａ、１０４ｂ〜１０４ｎ（図１には３つだけ示した。集合的に１０４）を有する。図１に示されたように、収容器１０４の幾つかは空であり、他の収容器１０４は、携帯型電気エネルギー貯蔵装置１０６を保持する。図１は、１つの収容器１０４につき単一の携帯型電気エネルギー貯蔵装置１０６を示すが、幾つかの実施形態では、各収容器１０４は、２台以上の携帯型電気エネルギー貯蔵装置１０６を保持してもよい。例えば、それぞれ又は複数の収容器１０４が、３台の携帯型電気エネルギー貯蔵装置１０６を収容するのに十分な深さでよい。したがって、例えば、図１に示した収集充電分配装置１０２は、４０、８０又は１２０台の携帯型電気エネルギー貯蔵装置１０６を同時に保持することができる能力を有してもよい。
【００６１】
携帯型電気エネルギー貯蔵装置１０６は、例えば、バッテリ（例えば、電池のアレイ）又はスーパー若しくはウルトラキャパシタ（例えば、ウルトラキャパシタセルのアレイ）などの様々な形態を取ってもよい。例えば、携帯型電気エネルギー貯蔵装置１０６ｚは、充電式バッテリ（即ち、二次電池又はバッテリ）の形態をとってもよい。携帯型電気エネルギー貯蔵装置１０６ｚは、例えば、全電気スクータやモーターバイク１０８などの個人輸送車両に物理的に適合し給電するように容量が決められてもよい。前述したように、エンジンスクータとモーターバイクは、例えば、アジア、ヨーロッパ及び中東の多くの大都市で一般的である。都市又は地域の至る所で充電済みバッテリを便利に入手できるので、エンジンスクータやモーターバイクの代わりに全電気スクータ及びモーターバイク１０８を使用することができ、それにより大気汚染が減少し、騒音が減少することがある。
【００６２】
携帯型電気エネルギー貯蔵装置１０６（携帯型電気エネルギー貯蔵装置１０６ｚだけを示す）は、携帯型電気エネルギー貯蔵装置１０６ｚの外部から利用可能な幾つかの電気端子１１０ａ，１１０ｂ（２つだけを示す。集合的に１１０）を含んでもよい。電気端子１１０は、携帯型電気エネルギー貯蔵装置１０６ｚから電荷を提供することを可能にし、また充電のために携帯型電気エネルギー貯蔵装置１０６ｚに電荷を提供することを可能にする。図１に柱として示されているが、電気端子１１０は、電池ハウジングのスロット内に位置決めされた電気端子を含む、携帯型電気エネルギー貯蔵装置１０６ｚの外部からアクセス可能な任意の他の形態をとってもよい。高出力電気接点又は電極は、携帯型電気貯蔵装置１０６上の外部からのみアクセス可能な継手でもよい。
【００６３】
携帯型電気貯蔵装置１０６は、１つ以上のデータ記憶若しくは伝送装置又はトランスポンダ（例えば、携帯型電気貯蔵装置１０６に固有の特定子などのデータを記憶する非一時的記憶媒体を含むことがある１つ以上の無線周波数特定（「ＲＦＩＤ」）タグ））を含んでもよい。そのようなものは、更に、携帯型電力貯蔵装置１０６に関連する物理的、化学的又は構成データを記憶してもよい。携帯型電気貯蔵装置１０６の物理的、化学的、又は構成データには、装置内の電池の数とタイプ、装置内の電池の健康状態、装置内の電池の電荷保持能力、装置内の電池の充電サイクル数、装置内の電池の物理構成、装置の物理構成及びサイズ、装置１０６上の電極の場所とタイプ又は様式、装置１０６の最低又は最高温度などが挙げられる。
【００６４】
収集充電分配装置１０２は、電気貯蔵装置１０６内の１つ以上のデータ記憶若しくは伝送装置又はトランスポンダに記憶された非一時的データを読み取ることができる呼掛器又は読取り装置を含んでもよい。そのような呼掛器又は読取り装置は、幾つかの例では、１つ以上のデータ記憶若しくは伝送装置又はトランスポンダによって収容されたときに、１つ以上のデータ記憶若しくは伝送装置又はトランスポンダに、記憶されたデータを含む信号を同報通信させる定期的又は連続的な呼掛け信号を生成してもよい。幾つかの例では、収集充電分配装置１０２内の呼掛器又は読取り装置は、アクティブなデータ記憶若しくは伝送装置又はトランスポンダによって提供される信号（例えば、データ記憶若しくは伝送装置又はトランスポンダに組み込まれたエネルギー貯蔵装置から、又は電気貯蔵装置１０６自体から伝送電力を得るアクティブＲＦＩＤタグ）を検出することができる受動装置でよい。幾つかの例では、収集充電分配装置１０２内の呼掛器又は読取り装置は、必要に応じて、電気貯蔵装置１０６内の１つ以上のデータ記憶若しくは伝送装置又はトランスポンダにデータを書き込んでもよい。そのようなデータは、装置１０６の最大使用充電容量、装置１０６の最終充電レベルなどを示す充電サイクルカウンタの増分を含んでもよい。
【００６５】
収集充電分配装置１０２は、収集充電分配装置１０２が様々なエンドユーザによって都合よくかつ容易にアクセスできる幾つかの場所１１２に位置決めされる。場所は、例えばコンビニエンスストア、スーパーマーケット、ガス又はガソリンスタンド、サービスショップなどの小売り環境のような、様々な形態のいずれを取ることもできる。あるいは、収集充電分配装置１０２は、既存の小売りや他の事業と関連しない場所１１２、例えば都市公園や他の公共場所に単独であってもよい。したがって、例えば、収集充電分配装置１０２は、都市又は地域の至る所のコンビニエンスストアのチェーンの各店舗に配置さてもよい。そのようなものは、有利には、コンビニエンスストアが、ターゲットとなる人々に対する利便性又は人口統計に基づいて立地又は分散されることが多いという事実に依存することがある。そのようなものは、有利には、収集充電分配装置１０２の広範囲のネットワークを都市又は地域内に迅速に展開できるようにするために、店頭や他の小売り場所で既存の賃貸契約に依存することがある。ターゲットとなる人々に役立つように地理的に適切に分散された大規模ネットワークを迅速に達成することにより、そのようなシステムに依存する能力と、そのような努力の有望な商業的成功が強化される。
【００６６】
場所１１２は、例えば送電網１１６を介して発電所（不図示）から電力を受け取る電気設備１１４を含む。電気設備１１４は、例えば、電気設備メータ１１４ａ、回路パネル（例えば、回路遮断器パネル又はヒューズボックス）１１４ｂ、配線１１４ｃ、及び電気コンセント１１４ｄのうちの１つ以上を含むことがある。場所１１２が、既存の小売り店又はコンビニエンスストアの場合、電気設備１１４は、既存の電気設備のことがあり、したがって、ある程度定格が限定されることがある（例えば、１２０ボルト、２４０ボルト、２２０ボルト、２３０ボルト、１５アンペア）。小売り場所１１２のオペレータも所有者も、収集充電分配装置１０２の販売者又はオペレータも、電気設備１１４を増強する費用を負担したくないことがある。更に、エンドユーザが使用できる携帯型電気エネルギー貯蔵装置１０６の適切な電源を維持するために急速充電が必要とされる。本明細書では、既存の電気設備又は有限定格の電気設備を維持しながら迅速に充電する能力について述べる。更に、本明細書では、既存の電気設備が、保守、技術的問題、天候、自然災害などによって使用出来ない間に充電する能力について述べる。
【００６７】
必要に応じて、収集充電分配装置１０２は、再生可能な電源を含むか又はその電源に結合されてもよい。例えば、屋外の場所に設置された場合、収集充電分配装置１０２は、太陽光から電力を生成する光起電力（ＰＶ）電池１１８のアレイを含む。あるいは、収集充電分配装置１０２は、場所１１２のどこか他のところ（例えば、屋上又はポール（図示せず）の最上部に取り付けられたポール上）に位置決めされたマイクロタービン（例えば、風力タービン）又はＰＶアレイに電気的に接続されてもよい。あるいは、収集充電分配装置１０２は、例えば、送電網から収集充電分配装置１０２への電気設備が使用できないときに、収集充電分配装置１０２の内側又は外側に配置された携帯型電気エネルギー貯蔵装置から電力を受け取るように電気的に構成されてもよい。
【００６８】
収集充電分配装置１０２は、バックエンド又はバックオフィスシステム（１つだけ示した）１２０などの１つ以上の遠隔配置されたコンピュータシステムに通信によって結合されてもよい。バックエンド又はバックオフィスシステム１２０は、都市などの地域に分散された複数の収集充電分配装置１０２からデータを収集しかつ／又はそれらの装置を制御してもよい。通信は、１つ以上のネットワーク１２２を含む１つ以上の通信チャネル、又はネットワーク接続されていない通信チャネルを介して行われてもよい。通信は、１つ以上の有線通信チャネル（例えば、撚線対配線、光ファイバ）、無線通信チャネル（例えば、無線、マイクロ波、衛星、８０１．１１準拠）を介したものでもよい。ネットワーク接続された通信チャネルは、１つ以上のローカルエリアネットワーク（ＬＡＮ）、広域ネットワーク（ＷＡＮ）、エクストラネット、イントラネット、又はインターネットのワールドワイドウェブ部分を含むインターネットを含んでもよい。
【００６９】
収集充電分配装置１０２は、ユーザインタフェース１２４を含んでもよい。ユーザインタフェースは、エンドユーザが収集充電分配装置１０２と対話することを可能にする様々な入出力（Ｉ／Ｏ）装置を含んでもよい。様々な入出力装置は、図２に関連して以下のように表記され記述される。
【００７０】
図２は、１つの示された実施形態による図１の収集充電分配装置１０２を示す。
【００７１】
収集充電分配装置１０２は、制御サブシステム２０２、充電サブシステム２０４、通信サブシステム２０６、及びユーザインタフェースサブシステム２０８を含む。
【００７２】
制御サブシステム２０２は、様々なセンサから信号を受け取り、論理演算を実行し、様々な構成要素に信号を送ることができるコントローラ２１０（例えば、マイクロプロセッサ、マイクロコントローラ、プログラマブルロジックコントローラ（ＰＬＣ）、プログラマブルゲートアレイ（ＰＧＡ）、特定用途向け集積回路（ＡＳＩＣ）、又は別のコントローラ）を含む。典型的には、コントローラ２１０は、マイクロプロセッサ（例えば、ＩＮＴＥＬ、ＡＭＤ、ＡＴＯＭ）の形態を取ることがある。制御サブシステム２０２は、また、１つ以上の非一時的プロセッサ又はコンピュータ可読記憶媒体（例えば、読み出し専用メモリ（ＲＯＭ）２１２、ランダムアクセスメモリ（ＲＡＭ）２１４）、及びデータ記憶装置２１６（例えば、フラッシュメモリやＥＥＰＲＯＭなどの固体記憶媒体、ハードディスクなどの回転型記憶媒体）を含んでもよい。非一時的プロセッサ又はコンピュータ可読記憶媒体２１２，２１４，２１６は、コントローラ２１０の一部の任意の非一時的記憶媒体（例えば、レジスタ）に追加されてもよい。制御サブシステム２０２は、様々な構成要素を結合する１つ以上のバス２１８（例えば、１つ以上の電力バス、命令バス、データバス）を含んでもよい。
【００７３】
図示されたように、ＲＯＭ２１２、又は非一時的プロセッサ又はコンピュータ可読記憶媒体２１２，２１４，２１６のうちの別のものは、命令及び／又は変数又はパラメータのデータ又は値を記憶する。データのセットは、例えば、ルックアップ表、データベース内の１組のレコードなどの様々な形態をとってもよい。命令と、データ又は値のセットは、コントローラ１１０によって実行可能である。その実行によって、コントローラ１１０は、収集充電分配装置１０２に、携帯型エネルギー貯蔵装置を収集、充電、及び分配させる特定の行為を実行する。以下に、様々な流れ図（図３〜図１５）に関して、収集充電分配装置１０２の特定の動作について述べる。
【００７４】
コントローラ２１０は、命令やデータなどの非持久記憶のために、ＲＡＭ２１４を従来の方式で使用してもよい。コントローラ２１０は、データ記憶装置２１６を使用して、情報（例えば、携帯型電力貯蔵装置１０６の収集、充電及び／若しくは分配、並びに／又は収集充電分配装置１０２自体の動作と関連した遠隔測定情報）を記録又は保持してもよい。命令は、エンドユーザ又はオペレータ入力に応じて、変数又はパラメータのデータ又は値を使用して、収集充電分配装置１０２の動作を制御するために、コントローラ２１０によって実行可能である。
【００７５】
制御サブシステム２０２は、収集充電分配装置１０２の様々なセンサ及び／又は構成要素から、そのような他の構成要素の動作、状況又は状態を示す情報を特徴付けるか示す情報を含む信号を受け取る。センサは、図２では、丸の中に適切な添付文字と共に文字Ｓで示されている。
【００７６】
例えば、１つ以上の位置センサＳP1〜ＳPNは、各収容器１０４内の携帯型電力貯蔵装置１０６の有無を検出してもよい。位置センサＳP1〜ＳPNは、様々な形態をとってもよい。例えば、位置センサＳP1〜ＳPNは、携帯型電力貯蔵装置１０６が収容器１０４に挿入されたときに、それぞれの携帯型電力貯蔵装置１０６の一部分との接触に応じて開閉される機械式スイッチの形態を取ってもよい。また例えば、位置センサＳP1〜ＳPNは、携帯型電力貯蔵装置１０６が収容器１０４に挿入されたときにそれぞれの携帯型電力貯蔵装置１０６の一部分と接触することに応じて開閉される光スイッチ（即ち、光源と収容器）の形態をとってもよい。また例えば、位置センサＳP1〜ＳPNは、収容器１０４に携帯型電力貯蔵装置１０６が挿入されたときにそれぞれの携帯型電力貯蔵装置１０６の端子１１０との接触によって生じる閉路状態の検出、又は収容器１０４内にそれぞれの携帯型電力貯蔵装置１０６がないことによって生じる開路状態の検出に応じて開閉される電気センサ又はスイッチの形態をとってもよい。これらの例は、非限定的なものであり、収容器内の携帯型電力貯蔵装置１０６の有無又は挿入を検出するための他の構造及び装置が使用されてもよいことに注意されたい。
【００７７】
例えば、１つ以上の充電センサＳC1〜ＳCNが、各収容器１０４にある携帯型電力貯蔵装置１０６の充電を検出してもよい。充電センサＳC1〜ＳCNは、携帯型電力貯蔵装置１０６によって貯蔵された電荷の量を検出してもよい。充電センサＳC1〜ＳCNは、更に、各収容器１０４にある携帯型電力貯蔵装置１０６に供給されている電荷の量及び／又は充電率を検出してもよい。そのようなものは、各携帯型電力貯蔵装置１０６の現在の（即ち、一時的）充電状態又は状況の評価を可能にし、また充電率の制御を含むその充電に関するフィードバック制御を可能にしてもよい。充電センサＳC1〜ＳCNには、任意の様々な電流及び／又は電圧センサが挙げられる。
【００７８】
例えば、１つ以上の充電センサＳT1（１つだけを示す）が、収容器１０４又は周囲環境の温度を検出又は感知してもよい。
【００７９】
例えば、１つ以上の電気設備センサは、電気設備が最大の能力で動作しているか最大未満の能力で動作しているかを検出又は感知してもよい。
【００８０】
制御サブシステム２０２は、制御信号に応じて様々なアクチュエータ及び／又は他の構成要素に信号を提供し、その信号は、構成要素が実行するべき操作を特徴付けるか示す情報、又は構成要素が移行すべき状態又は条件を含む。制御信号、アクチュエータ、又は制御信号に応答する他の構成要素は、図２で、丸の中に示された適切な添付文字と共に文字Ｃによって表わされる。
【００８１】
例えば、１つ以上のエンジン制御信号ＣA1〜ＣANは、１つ以上のアクチュエータ２２０（１つだけ示す）の動作に影響を及ぼすことがある。例えば、制御信号ＣA1は、アクチュエータ２２０を第１の位置と第２の位置との間で動かすか、アクチュエータ２２０によって生成された磁界を変化させる。アクチュエータ２２０は、ソレノイド、ステッパモータなどの電気モータ、又は電磁石を含むがこれに限定されない様々な形態のいずれでもよい。アクチュエータ２２０は、ラッチ、ロック又は他の保持器機構２２２を操作するために結合されてもよい。ラッチ、ロック又は他の保持器機構２２２は、収容器１０４内に１つ以上の携帯型電力貯蔵装置１０６（図１）を選択的に固定又は保持してもよい（図１）。例えば、ラッチ、ロック又は他の保持器機構２２２は、携帯型電力貯蔵装置１０６（図１）のハウジングの一部である無料構造物に物理的に結合してもよい。あるいは、ラッチ、ロック又は他の保持器機構２２２は、携帯型電力貯蔵装置１０６（図１）のハウジングの一部である無料構造物に磁気的に結合してもよい。また例えば、ラッチ、ロック又は他の機構は、収容器１０４（図１）を開いてもよく、収容器１０４を開き、ある程度又は完全に放電された携帯型電力貯蔵装置１０６を充電のために収容してもよい。例えば、アクチュエータは、収容器１０４（図１）への扉を開閉して、収容された携帯型電力貯蔵装置１０６（図１）に選択的にアクセスしてもよい。また例えば、アクチュエータは、ラッチ又はロックを開閉して、エンドユーザが、収容器１０４（図１）への扉を開閉して、収容された携帯型電力貯蔵装置１０６（図１）に選択的にアクセスできるようにしてもよい。
【００８２】
制御サブシステム２０２は、充電サブシステム２０６の１つ以上のポート２２４ｂに制御信号を提供する１つ以上のポート２２４ａを有してもよい。ポート２２４ａ，２２４ｂは、双方向通信を提供してもよい。制御サブシステム２０２は、ユーザインタフェースサブシステム２０８の１つ以上のポート２２６ｂに制御信号を提供する１つ以上のポート２２６ａを含んでもよい。ポート２２６ａ，２２６ｂは、双方向通信を提供してもよい。
【００８３】
充電サブシステム２０４は、収容器１０４内に位置決め又は収容されたときに携帯型電力貯蔵装置１０６を充電する様々な電気部品又は電子部品を含む。例えば、充電サブシステム１０２は、１つ以上の電力バス又は電源バスバー、継電器、接触器又は他のスイッチ（例えば、絶縁ゲートバイポーラトランジスタ又はＩＧＢＴ、金属酸化物トランジスタ又はＭＯＳＦＥＴ）、整流器ブリッジ、電流センサ、地絡回路などを含んでもよい。電力は、例えば端子、リード線、柱などの様々な形態のどれをとってもよい接点を介して供給される。接点は、様々な構成要素の電気的結合を可能にする。幾つかの可能な実施態様は、図２の示されかつ／又は後述される。そのようなものは、排他的ではなく、追加の構成要素を使用することができ、他の構成要素が省略されることがある。
【００８４】
図示された充電サブシステム２０４は、電線又はコード２３２を介して電気設備１１４（図１）から電力を受け取る第１の電力変換装置２３０を含む。電力は、典型的には、単相、二相又は三相の交流電力の形態になる。したがって、第１の電力変換装置２３０は、電気設備１１４（図１）を介して受け取った電力を変換し他の方法で調整する（例えば、交流波形を直流に整流し、電圧、電流、位相を変換し、また過渡現象と雑音を減少させる）ために必要なことがある。したがって、第１の電力変換装置２３０は、変圧器２３４、整流器２３６、ＤＣ／ＤＣ電力変換装置２３８、及びフィルタ２４０を有してもよい。
【００８５】
変圧器２３４は、電気設備１１４（図１）を介して受け取った電力を処理するのに適した定格を有する任意の市販の変圧器の形態をとってもよい。幾つかの実施形態は、複数の変圧器を使用してもよい。変圧器２３４は、有利には、収集充電分配装置１０２の構成要素と送電網１１６（図１）との間のガルバニック分離を提供してもよい。整流器２３６は、様々な形態（例えば、フルブリッジダイオード整流器、スイッチモード整流器）のうちのどの形態をとってもよい。整流器２３６は、交流電力を直流電力に変換するように動作されてもよい。ＤＣ／ＤＣ電力変換装置２３８は、種々の形態のうちのどの形態でもよい。例えば、ＤＣ／ＤＣ電力変換装置２３８は、スイッチモードＤＣ／ＤＣ電力変換装置（例えば、ハーフ又はフルブリッジ構成でＩＧＢＴ、ＭＯＳＦＥＴを使用する）の形態をとってもよく、１つ以上のインダクタを含んでもよい。ＤＣ／ＤＣ電力変換装置２３８は、ブーストコンバータ、バックコンバータ、同期バックコンバータ、バックブーストコンバータ、又はフライバックコンバータを含む任意数のトポロジを有してもよい。フィルタは、電圧スパイクを抑制し、過渡現象及び／又は雑音を除去又は低減する１つ以上のキャパシタ、抵抗器、ツェナーダイオード、又は他の要素を有してもよい。
【００８６】
第１の電力変換装置２３０は、保守不要の電力貯蔵装置１１６を安全に充電するために高品質で温度補償された直流出力を提供することができる電気通信用電力変換装置でよい。しかしながら、充電及び分配装置１０２の各収容器１０４内に少なくとも１キロワットの電気通信用電力変換装置を組み込むコストは、桁違いに大きく、数万ドルに及ぶことがある。したがって、充電分配装置１０２内で利用できる第１の電力変換装置２３０の数は、収容器１０４の数より少ないことがある。そのような例では、充電及び分配装置１０２内に組み込まれる第１の電力変換装置２３０が、収容器１０４間で共有される。
【００８７】
図示された充電サブシステム２０４は、再生可能電源（例えば、ＰＶアレイ１１８（図１））から電力を受け取ってもよい。そのような電力は、第１の電力変換装置２３０によって変換又は調整され、例えば、ＤＣ／ＤＣ電力変換装置２３８に直接供給され、変圧器２３６及び／又は整流器２３６を迂回してもよい。あるいは、図示された充電サブシステム２０４は、そのような電力を変換又は他の方法で調整する専用の電力変換装置を含んでもよい。
【００８８】
図示された充電サブシステム２０４は、携帯型電力貯蔵装置１０６のうちの他の携帯型電力貯蔵装置を充填するために、１本以上の電線２４４を介して１つ以上の携帯型電力貯蔵装置１０６（図１）から電力を受け取る第２の電力変換装置２４２を含む。したがって、第２の電力変換装置は、携帯型電力貯蔵装置１０６から受け取った電力を変換しかつ／又は調整する（例えば、必要に応じて電圧、電流を変換し、また過渡現象と雑音を低減する）必要があることがある。したがって、第２の電力変換装置は、必要に応じて、ＤＣ／ＤＣ電力変換装置２４６及び／又はフィルタ２４８を有してもよい。以上、様々なタイプのＤＣ／ＤＣ電力変換装置及びフィルタについて述べた。
【００８９】
図示された充電サブシステム２０４は、制御サブシステム２０２からポート１２４ａ，１２４ｂを介して提供された制御信号に応答する複数のスイッチ２５０を有する。スイッチは、第１の電力変換装置２３０を介して両方の電気設備によって供給された電力と、第２の数又は組の携帯型電力貯蔵装置１０６によって供給される電力とから充電される第１の数又は組の携帯型電力貯蔵装置１０６を選択的に結合する働きをする。第１の数又は組の携帯型電力貯蔵装置１０６は、単一の携帯型電力貯蔵装置１０６を含んでもよく、２つ以上の携帯型電力貯蔵装置１０６を含んでもよい。第２の数又は組の携帯型電力貯蔵装置１０６は、単一の携帯型電力貯蔵装置１０６を含んでもよく、２つ以上の携帯型電力貯蔵装置１０６を含んでもよい。携帯型電力貯蔵装置１０６は、図２に、負荷Ｌ1、Ｌ2〜ＬNとして表わされる。
【００９０】
したがって、携帯型電力貯蔵装置１０６の充電は、電線（即ち、幹線）によって給電される第１の電力変換装置２３０、電力貯蔵装置によって給電される第２の電力変換装置２４２、又はこれらの組み合わせを使用して達成されてもよい。制御サブシステム２０２によって実行される機械実行命令又はロジックは、宛先の携帯型電力貯蔵装置１０６ごとの充電源の数、タイプ及び場所を決定することがある。宛先の携帯型電力貯蔵装置１０６ごとに、制御サブシステム２０２は、第１の電力変換装置２３０の可用性、放電した携帯型電力貯蔵装置１０６の数、及びそれぞれの充電レベルを含む因子に基づいて、装置を、ライン給電される第１の電力変換装置２３０、電力貯蔵装置によって給電される第２の電力変換装置２４２、又はこれらの組み合わせのどれを使用して充電するかを決定してもよい。
【００９１】
例では、制御サブシステム２０２は、行又は列構成を使用して、限られた数の第１の電力変換装置２３０を割り当ててもよい。１つのそのような構成で、制御サブシステム２０２は、１つ以上の第１の電力変換装置２３０からの充電出力を、所定の行又は列にある放電した携帯型電力貯蔵装置１０６の一部、例えば１０個の放電した携帯型電力貯蔵装置１０６だけに導いてもよく、制御サブシステム２０２は、第１の電力変換装置２３０に指示して、装置の１０％〜２０％（即ち、１台か２台の装置）を充電して残りの８０％〜９０％の装置の充電を抑制してもよい。別のそのような構成により、充電及び分配装置１０２内の特定の行及び列アドレスにある収容器１０４が、第１の電力変換装置２３０、第２の電力変換装置２４２、又はその組み合わせに順次結合されてもよい。交互の行、交互の列、特定の収容器アドレス、収容器１０４アドレスパターン、又はこれらの組み合わせに基づく他の充電順序も可能である。
【００９２】
充電サブシステム２０４を制御サブシステム２０２に通信可能に結合することによって、充電サブシステム２０４に加えられた任意の第１の電力変換装置２３０の制御サブシステム２０２による検出が可能になる。追加の第１の電力変換装置２３０が加えられたとき、制御サブシステム２０２は、追加された第１の電力変換装置２３０によって高められた充電性能に対応するように充電ロジックを再構成又は適応させてもよい。例えば、制御サブシステム２０２が、１つ以上の新しい第１の電力変換装置２３０の追加を検出したとき、充電限度が、任意の所定の行又は列にある携帯型電力貯蔵装置１０６の１０％〜２０％から、任意の所定の行又は列にある装置の３０％〜４０％に高められてもよい。
【００９３】
通信サブシステム２０６は、更に、設備がバックエンド又はバックオフィスシステム１２０（図１）の様々な構成要素と通信する１つ以上の通信モジュール又は構成要素を有してもよい。通信サブシステム２０６は、例えば、１つ以上のモデム２５２、１つ以上のイーサネット、又は他のタイプの通信カード又は構成要素２５４を含んでもよい。制御サブシステム２０２のポート２５６ａは、制御サブシステム２０２を通信サブシステム２０６のポート２５６ｂと通信で結合してもよい。通信サブシステム２０６は、有線及び／又は無線通信を提供してもよい。通信サブシステム２０６は、様々なリモート構成要素又はシステムへの無線信号経路を提供するために、１つ以上のポート、無線受信機、無線送信機、又は無線トランシーバを含んでもよい。遠隔通信サブシステム２０６は、パケット交換型通信プロトコル（ＴＣＰ／ＩＰ）、イーサネット、又は他のネットワークプロトコルを含むネットワークトラフィックの処理に適した１つ以上のブリッジ又はルータを有してもよい。
【００９４】
ユーザインタフェースシステム２０８は、１つ以上のユーザ入力／出力（Ｉ／Ｏ）構成要素を含む。例えば、ユーザインタフェースシステム２０８は、情報及びグラフィックユーザインタフェース（ＧＵＩ）をエンドユーザに提示し、ユーザ選択の指示を受ける働きをするタッチスクリーンディスプレイ２０８ａを有してもよい。ユーザインタフェースシステム２０８は、エンドユーザがＧＵＩで情報を入力しかつ／又はユーザ選択可能アイコンを選択することを可能にするために、キーボード又はキーパッド２０８ｂ、及び／又はカーソルコントローラ（例えば、マウス、トラックボール、トラックパッド）（図示せず）を備えてもよい。ユーザインタフェースシステム２０８は、エンドユーザに聴覚メッセージを提供するスピーカ２０８ｃ及び／又は音声指示など音声ユーザ入力を受け取るマイクロフォン２０８ｄとを備えてもよい。
【００９５】
ユーザインタフェースシステム２０８は、カード型媒体２０９から情報を読み取るカード読取り機２０８ｅを備えてもよい。カード読取り機２０８ｅは、様々な形態をとってもよい。例えば、カード読取り機２０８ｅは、カード２０９に保持された磁気ストライプで符号化された情報を読み取るための磁気ストライプ読取り機の形態を取るか又はそれを備えてもよい。例えば、カード読取り機２０８ｅは、カード２０９に保持された機械可読記号で符号化された情報を読み取るための機械可読記号（例えば、バーコード、マトリクスコード）カード読取り機の形態を取るか又はそれを備えてもよい。例えば、カード読取り機２０８ｅは、カード２０９に保持された非一時的媒体に符号化された情報を読み取るためのスマートカード読取り装置の形態を取るか又はそれを備えてもよい。そのようなカード読取り機は、例えば、無線周波数特定（ＲＦＩＤ）トランスポンダ又は電子支払チップ（例えば、ＮＦＣ）を使用する媒体を備えてもよい。したがって、カード読取り機２０８ｅは、様々なカード媒体２０９（例えば、クレジットカード、支払カード、ギフトカード、プリペイドカード）、並びに運転免許などの特定媒体から情報を読み取ることができてもよい。
【００９６】
ユーザインタフェースシステム２０８は、ユーザによって提供された放電した携帯型電気貯蔵装置１０６と関連付けられた１つ以上の非一時的データ記憶装置を読み取ってもよい。ユーザによって供給された携帯型電気貯蔵装置１０６と関するデータは、１つ以上のポート２２６を介してユーザインタフェースサブシステム２０８から制御サブシステム２０２に伝達されてもよい。異なる携帯型電気貯蔵装置１０６が使用中の場合、装置１０６と関連付けられた１つ以上の固有の特徴を特定する能力が、充電サブシステム２０４による装置のより迅速又は効率的な充電を容易にするか、制御サブシステム２０２が、ユーザに、使用可能な電荷を有する適合携帯型電気貯蔵装置１０６を収容する収容器１０４を特定することを可能にすることがある。
【００９７】
ユーザインタフェースシステム２０８は、現金支払を受け入れ検証するために紙幣アクセプタ２０８ｆ及び検証機及び／又はコインアクセプタ２０８ｇを備えてもよい。そのようなものは、クレジットを利用できない人達へのサービスにきわめて有効なことがある。紙幣アクセプタ及び検証ソフト２０８ｆ及び／又はコインアクセプタ２０８ｇは、任意の様々な形態（例えば、現在市販されており様々な自動販売機とキオスク内で使用されているもの）を取ってもよい。
【００９８】
図３Ａは、１つの示された実施形態による、第２の数の電力貯蔵装置３０４によって犠牲にされる電荷によって第１の数の電力貯蔵装置３０２を部分的に充電する、図１と図２の収集充電分配装置１０２を示す。
【００９９】
詳細には、収集充電分配装置１０２は、電気設備１１４（図１）からの電線２３２を介した電流と、より少数の電力貯蔵装置３０２を迅速又は急速充電するために犠牲充電する比較的多数の電力貯蔵装置３０４によって供給される電流とを使用する。犠牲充電する電力貯蔵装置３０４は、急速充電を受ける電力貯蔵装置３０２より少ない充電で始動することがある。そのようにして、電力貯蔵装置３０２の少なくとも幾つかが、迅速に満充電又はほぼ満充電状態になり、その使用準備ができる。あるいは、犠牲充電する電力貯蔵装置３０４は、急速充電を受ける電力貯蔵装置３０２より多い充電で始動することがある。そのようにして、より多くの電力貯蔵装置３０２，３０４は、十分に充電されるが、エンドユーザが使用するには満充電より少ない可能性が高い。この複数対複数の手法は、受け取りおよび犠牲にする電力貯蔵装置３０２，３０４群の複数対にわたって平行かつ同時に実施されてもよい。
【０１００】
図３Ｂは、１つの示された実施形態による、第２の電力貯蔵装置３１４によって犠牲充電によって第１の数の電力貯蔵装置３１２を部分的に充電する、図１と図２の収集充電分配装置１０２を示す。
【０１０１】
詳細には、収集充電分配装置１０２は、電気設備１１４（図１）からの電線２３２を介した電流と、多数の電力貯蔵装置３１２を迅速又は急速充電するために犠牲充電する比較的少数の電力貯蔵装置３１４によって供給される電流とを使用する。犠牲充電する電力貯蔵装置３１４は、急速充電を受ける電力貯蔵装置３１２より少ない電荷で始動してもよい。そのようにして、少なくとも幾つかの電力貯蔵装置３１２が、迅速に満充電又はほぼ満充電状態になり、使用の準備ができる。あるいは、犠牲充電する電力貯蔵装置３１４は、急速充電を受ける電力貯蔵装置３１２より多くの電荷で始動してもよい。そのようにして、より多数の電力貯蔵装置３１２，３１４が、十分な電荷を有するが、エンドユーザが使用するには満充電より少ない可能性が高い。この複数対複数の手法は、受け取りおよび犠牲にする電力貯蔵装置３１２，３１４群の複数対にわたって平行かつ同時に実施されてもよい。
【０１０２】
図４Ａは、１つの示された実施形態による、第２の単一電力貯蔵装置４０４による犠牲充電によって第１の単一電力貯蔵装置４０２を部分的に充電する、図１と図２の収集充電分配装置１０２を示す。
【０１０３】
詳細には、収集充電分配装置１０２は、電気設備１１４（図１）からの電線２３２を介した電流と、単一電力貯蔵装置４０２を迅速又は急速充電するために犠牲充電する単一電力貯蔵装置４０４によって供給される電流とを使用する。犠牲充電する電力貯蔵装置４０４は、急速充電を受けるか急速充電により利益を得る電力貯蔵装置４０２よりも少ない充電で始動してもよい。そのように、電力貯蔵装置４０２は、すぐに満充電又はほぼ満充電状態になり、使用準備ができる。あるいは、犠牲充電する電力貯蔵装置４０４は、急速充電を受けるか急速充電により利益を得る電力貯蔵装置４０２より多い充電で始動することがある。この１対１の手法は、複数対の電力貯蔵装置４０２，４０４にわたって平行かつ同時に実施されてもよい。そのように、より多数の電力貯蔵装置４０２，４０４が、十分に充電されるが、エンドユーザが使用できるようにするには満充電より少ない可能性が高い。
【０１０４】
図４Ｂは、１つの示された実施形態による、複数の電力貯蔵装置４１４による犠牲充電によって第１の単一電力貯蔵装置４０２を部分的に充電する、図１と図２の収集充電分配装置１０２を示す。
【０１０５】
詳細には、収集充電分配装置１０２は、電気設備１１４（図１）からの電線２３２を介した電流と、単一電力貯蔵装置４１２を迅速又は急速充電するために犠牲充電する複数の電力貯蔵装置４０４によって供給される電流とを使用する。犠牲充電する電力貯蔵装置４１４は、急速充電を受ける単一電力貯蔵装置４１２より少ない電荷で始動してもよい。そのように、単一電力貯蔵装置４１２は、素早く満充電又はほぼ満充電状態になり、使用準備ができる。あるいは、犠牲充電する電力貯蔵装置４１４は、急速充電を受ける単一電力貯蔵装置４１２より多い充電で始動してもよい。この複数対１の手法は、複数対の収容し犠牲にする電力貯蔵装置４１２，４１４にわたって平行かつ同時に実施されてもよい。そのようにして、多数の電力貯蔵装置４１２，４１４が、エンドユーザが使用するのに十分な電荷を有することになる。
【０１０６】
図５は、１つの非限定的に示された実施形態による、図１と図２の収集充電分配装置を動作させる高レベルの方法５００を示す。
【０１０７】
５０２で、収集充電分配装置１０２の制御サブシステム２０２は、分配収集充電装置に着脱自在に配置された第２の数の携帯型電気エネルギー貯蔵装置よりも急速充電する、分配収集充電装置の収容器に着脱自在に配置された第１の数の携帯型電気エネルギー貯蔵装置を特定する。制御サブシステム２０２は、他の携帯型電気エネルギー貯蔵装置より急速充電する携帯型電気エネルギー貯蔵装置を特定又は選択する際に様々な基準を使用してもよい。例えば、制御サブシステムは、貯蔵電荷の相対量を使用してもよい。以下に、幾つかの例を述べる。
【０１０８】
５０４で、収集充電分配装置１０２の制御サブシステム２０２は、第２の数の一部として、犠牲充電する少なくとも１つの携帯型電気エネルギー貯蔵装置を特定する。制御サブシステム２０２は、他の携帯型電気エネルギー貯蔵装置より急速充電する携帯型電気エネルギー貯蔵装置を特定又は選択する際に様々な基準を使用してもよい。例えば、制御サブシステムは、貯蔵電荷の相対量を使用してもよい。
【０１０９】
５０６で、収集充電分配装置１０２の充電システム２０４は、第１の数の携帯型電気エネルギー貯蔵装置を、電気設備を介して供給された電力で充電する。詳細には、充電サブシステムは、例えば１つ以上のスイッチ（例えば、継電器、接触器）を介して、電気設備から電荷を受け取る第１の数の組の携帯型電気エネルギー貯蔵装置を電気的に接続してもよい。電力は、１つ以上の変圧器、整流器、ＤＣ／ＤＣコンバータ、及び／又はフィルタを介して供給されてもよい。
【０１１０】
５０８で、収集充電分配装置１０２の充電システム２０４は、第１の数の携帯型電気エネルギー貯蔵装置を、電気設備を介して供給された電力を使用した充電と同時、又は電気設備を介して供給された電力を使用して充電することなく、第２の数の携帯型電気エネルギー貯蔵装置から供給されたエネルギーによって充電する。詳細には、充電サブシステムは、例えば１つ以上のスイッチ（例えば、継電器、接触器）を介して、第２の数又は組の携帯型電気エネルギー貯蔵装置から充電されるために第１の数の組の携帯型電気エネルギー貯蔵装置を電気的に接続してもよい。電力は、１つ以上の変圧器、整流器、ＤＣ／ＤＣコンバータ、及び／又はフィルタを介して供給されてもよい。
【０１１１】
図５に示し本明細書の他の流れ図で述べるように、収集充電分配装置１０２の制御サブシステム２０２は、バッテリやウルトラキャパシタアレイなどの携帯型電力貯蔵装置が、予想需要を満たすのに十分な電荷を適時に得られるようにする様々な手法又は充電方式を使用してもよい。例えば、幾つかの状況では、比較的少数の携帯型電力貯蔵装置を、より多数の携帯型電力貯蔵装置で迅速に犠牲充電することが有益なことがある。そのような充電により、満充電又はほぼ満充電の多数の携帯型電力貯蔵装置を予想顧客のために準備することができることがある。例えば、そのような充電は、収集充電分配装置１０２（例えば、キオスク、自動販売機）で満充電又はほぼ満充電の携帯型電力貯蔵装置が全く又は比較的僅かしか入手できない場合に行われる。他の状況では、より少数の携帯型電力貯蔵装置を犠牲にして比較的多数の携帯型電力貯蔵装置を迅速に充電することが有益なことがある。そのような充電は、幾つかの満充電又はほぼ満充電の携帯型電力貯蔵装置を十分なレベルまで部分的に充電し、それにより予想顧客用に準備ができることがある。そのような充電は、例えば、収集充電分配装置１０２に多数の満充電又はほぼ満充電の携帯型電力貯蔵装置がある場合に行われることがある。
【０１１２】
したがって、携帯型電力貯蔵装置のどの装置を何台急速充電するかの特定と、携帯型電力貯蔵装置のどの装置を何台犠牲充電するかの特定は、様々な基準に基づいてもよい。基準の非限定的リストは、例えば、収集充電分配装置１０２にある携帯型電力貯蔵装置の総数、携帯型電力貯蔵装置の様々な充電状態、電気設備又は再生可能電源などの外部電源から入手可能な電力の量又は欠如、外部電源から供給される電力の時刻又は予想需要又はコスト（ピーク対非ピークの期間）、更には周囲環境の温度又は収集充電分配装置１０２の収容器内の温度のうちの１つ以上を含む。
【０１１３】
図６は、１つの非限定的に示された実施形態による、図１と図２の収集充電分配装置を動作させる低レベルの方法６００を示す。方法６００は、図５の方法５００の一部を実行するのに役立つことがある。
【０１１４】
６０２で、収集充電分配装置１０２の制御サブシステム２０２は、急速充電用に、満充電の半分より多い少なくとも１つの携帯型電気エネルギー貯蔵装置を特定する。
【０１１５】
６０４で、収集充電分配装置１０２の制御サブシステム２０２が、犠牲充電にできるものとして、満充電の半分より少ない少なくとも１つの携帯型電気エネルギー貯蔵装置を特定する。
【０１１６】
このようにして、充電された電気容量が第２の数の携帯型電気エネルギー貯蔵装置に比較的近い第１の数の携帯型電気エネルギー貯蔵装置が、他の携帯型電気エネルギー貯蔵装置よって急速充電されるように選択されてもよい。これは、エンドユーザが、収集充電分配装置１０２で少なくとも１つの携帯型電気エネルギー貯蔵装置を確実に利用できるようにするのに役立つことがある。
【０１１７】
図７は、１つの非限定的に示された実施形態による、図１と図２の収集充電分配装置を動作させる低レベルの方法７００を示す。方法７００は、図５の方法５００の一部を実行するのに役立つことがある。
【０１１８】
７０２で、収集充電分配装置１０２の制御サブシステム２０２は、第２の数の携帯型電気エネルギー貯蔵装置の一部として、満充電の第１のしきい値より低くかつ完全放電の第２のしきい値より高い携帯型電気エネルギー貯蔵装置を特定する。
【０１１９】
これにより、急速充電用に第１組の携帯型電気エネルギー貯蔵装置を特定し、犠牲充電用に第２組の携帯型電気エネルギー貯蔵装置を特定し、急速充電用でも犠牲充電用でもない第３組を特定することが可能になることがある。例えば、最も充電された携帯型電気エネルギー貯蔵装置のうちの幾つかが、急速充電用に特定されるが、最も充電されていない携帯型電気エネルギー貯蔵装置の幾つかは、急速充電用にも犠牲充電用にも特定されない。より正確に言うと、犠牲充電用に、中間レベルの電荷（即ち、犠牲にする電荷が多少残っている）を有する携帯型電気エネルギー貯蔵装置が特定されてもよい。これにより、最も充電されていない携帯型電気エネルギー貯蔵装置を非充電状態又は実質的に非充電状態になることを防ぐことができる。
【０１２０】
図８は、１つの非限定的に示された実施形態による、図１と図２の収集充電分配装置を動作させる低レベルの方法８００を示す。方法８００は、図５の方法５００の一部を実行するのに役立つことがある。
【０１２１】
８０２で、収集充電分配装置１０２の制御サブシステム２０２は、急速充電用に、少なくとも別の携帯型電気エネルギー貯蔵装置より多く充電された少なくとも１つの携帯型電気エネルギー貯蔵装置を特定する。
【０１２２】
８０４で、収集充電分配装置１０２の充電システムサブシステム２０４は、少なくとも１つのより多く充電された携帯型電気エネルギー貯蔵装置を、少なくとも１つのより少なく充電された携帯型電気エネルギー貯蔵装置からのエネルギーを使用して充電する。
【０１２３】
これは、エンドユーザが、収集充電分配装置１０２にある満充電又はほぼ満充電の少なくとも１つの携帯型電気エネルギー貯蔵装置を使用できるようにするのに役立つことがある。
【０１２４】
図９は、１つの非限定的に示された実施形態による、図１と図２の収集充電分配装置を動作させる低レベルの方法９００を示す。方法９００は、図５の方法５００の一部を実行するのに役立つことがある。
【０１２５】
９０２で、収集充電分配装置１０２の制御サブシステム２０２は、急速充電用に、満充電の半分より少ない少なくとも１つの携帯型電気エネルギー貯蔵装置を特定する。
【０１２６】
９０４で、収集充電分配装置１０２の制御サブシステム２０２は、第２の数の携帯型電気エネルギー貯蔵装置の一部として、満充電の半分より多い少なくとも１つの携帯型電気エネルギー貯蔵装置を特定する。
【０１２７】
これにより、収集充電分配装置１０２の制御サブシステム２０２は、できるだけ多数の携帯型電気エネルギー貯蔵装置を平均又は中間レベルの電気容量まで充電しようとすることがある。これにより、供給された携帯型電気エネルギー貯蔵装置が、満充電でない場合でも、大きい需要を満たすことができることを保証することがある。
【０１２８】
図１０は、１つの非限定的に示された実施形態による、図１と図２の収集充電分配装置を動作させる低レベルの方法１０００を示す。方法１０００は、図５の方法５００の一部を実行するのに役立つことがある。
【０１２９】
１００２で、収集充電分配装置１０２の制御サブシステム２０２は、第２の数の携帯型電気エネルギー貯蔵装置の一部として、満充電の約７５パーセント以上、満充電の約８０パーセント以上、更には満充電の約８５パーセント以上の携帯型電気エネルギー貯蔵装置を特定する。
【０１３０】
これにより、比較的短期間に満充電される可能性が比較的高い携帯型電気エネルギー貯蔵装置を、必要とされたか要求されたとき、エンドユーザに分配する準備ができる。少なくとも二次化学電池の場合、充電時間又は充電率は、貯蔵電荷の量と共に非直線的（例えば、指数関数的）に増大する傾向があり、最初の充電率（例えば、２５、３０及び３５パーセント）よりも、最後の充電率（例えば、２５、２０及び１５パーセント）を達成する方が時間がかかるので、７５、８０及び８５パーセントの値が重要である。同様に、放電時間又は放電率も非直線的になる。充電率及び放電率の非線形性は、二次化学電池と比較してウルトラキャパシタのアレイに関して述べたようにならないことがあり、したがって、他のトリガ値又はしきい充電値が適切なことがある。しかし、定格又は公称容量の７５、８０又は８５パーセントの充電が、顧客要求を満たし所望の移動範囲を得るのに十分なことがある。したがって、制御サブシステム２０２によって実行される選択アルゴリズムは、充電する特定タイプの電気エネルギー貯蔵装置の公称充電率曲線、及び／又は犠牲充電する特定タイプの電気エネルギー貯蔵装置の公称放電率曲線を考慮することがある。
【０１３１】
図１１は、１つの非限定的に示された実施形態による、図１と図２の収集充電分配装置を動作させる低レベルの方法１１００を示す。方法１１００は、図５の方法５００の一部を実行するのに役立つことがある。
【０１３２】
１１０２で、収集充電分配装置１０２の制御サブシステム２０２は、急速充電用に、少なくとも別の携帯型電気エネルギー貯蔵装置より少なく充電された少なくとも１つの携帯型電気エネルギー貯蔵装置を特定する。
【０１３３】
１１０４で、収集充電分配装置１０２の充電サブシステム２０４は、少なくとも１つのより少なく充電された携帯型電気エネルギー貯蔵装置からのエネルギーを使用して、少なくとも１つのより多く充電された携帯型電気エネルギー貯蔵装置を充電する。
【０１３４】
これは、比較的多数の携帯型電気エネルギー貯蔵装置が、ほとんどが満充電でない場合でも、比較的大きい需要を満たす準備ができることを保証する。
【０１３５】
図１２は、１つの非限定的に示された実施形態による、図１と図２の収集充電分配装置を動作させる低レベルの方法１２００を示す。方法１２００は、図５の方法５００の一部を実行するのに役立つことがある。
【０１３６】
１２０２で、収集充電分配装置１０２は、最初に、少なくとも部分放電した携帯型電気エネルギー貯蔵装置を、複数の位置又は収容器１０４のうちの第１のものに着脱自在に収容する。
【０１３７】
１２０４で、収集充電分配装置１０２の１つ以上のセンサは、第１の位置又は収容器１０４における携帯型電気エネルギー貯蔵装置の挿入を検出する。
【０１３８】
１２０６で、収集充電分配装置１０２の制御サブシステム２０２は、挿入された携帯型電気エネルギー貯蔵装置の充電状態を決定する。例えば、制御サブシステム２０２は、１つ以上の電流センサに依存する。
【０１３９】
収容器に挿入された少なくとも部分放電した携帯型電気エネルギー貯蔵装置の検出に応じて、１２０８で、収集充電分配装置１０２の制御サブシステム２０２は、急速充電用に特定された第１の数の携帯型電気エネルギー貯蔵装置の特定を更新する。例えば、制御サブシステム２０２は、１つ以上の特定の携帯型電気エネルギー貯蔵装置を急速充電用の装置の数又は組に追加してもよく、かつ／又は１つ以上の特定の携帯型電気エネルギー貯蔵装置を、急速充電される数又は組から控除又は除去してもよい。
【０１４０】
例えば、制御システムは、急速充電する携帯型電気エネルギー貯蔵装置の数、組又はリストに、１）最も多く充電された携帯型電気エネルギー貯蔵装置、２）所定数の最も多く充電された携帯型電気エネルギー貯蔵装置、３）総数のうち所定の割合の最も多く充電されたものを含む、携帯型電気エネルギー貯蔵装置、及び／又は４）所定の充電しきい値を超える携帯型電気エネルギー貯蔵装置を含んでもよい。あるいは、制御システムは、急速充電する携帯型電気エネルギー貯蔵装置の数、組又はリストに、１）最も多く充電された携帯型電気エネルギー貯蔵装置、２）所定数の最も多く充電された携帯型電気エネルギー貯蔵装置、３）総数のうち所定の割合の、最も多く充電されたものを含む携帯型電気エネルギー貯蔵装置、及び／又は４）所定の充電しきい値より低い携帯型電気エネルギー貯蔵装置を含んでもよい。更に他の代替として、制御システムは、急速充電する携帯型電気エネルギー貯蔵装置の数、組又はリストに、１）１つ以上の他のより多く充電されたかより少なく充電された携帯型電気エネルギー貯蔵装置に対して中間充電を有する１つ以上の携帯型電気エネルギー貯蔵装置を含んでもよい。そのようなものの例は、図１３〜図１６で後述される。
【０１４１】
１２１０で、制御サブシステム２０２は、犠牲充電用に特定された第２の数の携帯型電気エネルギー貯蔵装置の特定を更新してもよい。例えば、制御サブシステム２０２は、犠牲充電する装置の数又は組に、１つ以上の特定の携帯型電気エネルギー貯蔵装置を加えてもよく、かつ／又は犠牲充電する数又は組から、１つ以上の特定の携帯型電気エネルギー貯蔵装置を控除及び／又は除去してもよい。
【０１４２】
例えば、制御システムは、犠牲充電する携帯型電気エネルギー貯蔵装置の数、組又はリストに、１）最も多く充電された携帯型電気エネルギー貯蔵装置、２）所定数の最も多く充電された携帯型電気エネルギー貯蔵装置、３）最も充電されたものを含む、装置の総数のうち所定の割合の携帯型電気エネルギー貯蔵装置、及び／又は４）所定の充電しきい値を超える携帯型電気エネルギー貯蔵装置を含めてもよい。あるいは、制御システムは、犠牲充電する携帯型電気エネルギー貯蔵装置の数、組又はリストに、１）最も多く充電された携帯型電気エネルギー貯蔵装置、２）所定数の最も多く充電された携帯型電気エネルギー貯蔵装置、３）総数のうち所定の割合の最も多く充電されるものを含む、携帯型電気エネルギー貯蔵装置、及び／又は４）所定の充電しきい値より低い携帯型電気エネルギー貯蔵装置を含めてもよい。更に他の代替として、制御システムは、犠牲充電する携帯型電気エネルギー貯蔵装置の数、組又はリストに、１）１つ以上の他より多く充電された携帯型電気エネルギー貯蔵装置と、より少なく充電された携帯型電気エネルギー貯蔵装置の半分の充電レベルの１つ以上の携帯型電気エネルギー貯蔵装置を含めてもよい。
【０１４３】
図１３は、１つの非限定的に示された実施形態による、図１と図２の収集充電分配装置を動作させる低レベルの方法１３００を示す。方法１３００は、図５の方法５００の一部を実行するのに役立つことがある。
【０１４４】
１３０２で、制御サブシステム２０２は、少なくとも部分的に第１の分配収集充電装置に着脱自在に配置された携帯型電気エネルギー貯蔵装置の現在の充電状態に基づいて、急速充電用に特定された携帯型電気エネルギー貯蔵装置を更新してもよい。例えば、比較的大量の電荷を蓄えている携帯型電気エネルギー貯蔵装置が、より少なく充電された携帯型電気エネルギー貯蔵装置を犠牲にして、満充電レベルまで急速充電される。あるいは、比較的大量の電荷を蓄えている携帯型電気エネルギー貯蔵装置を犠牲充電して、より少なく充電された携帯型電気エネルギー貯蔵装置を分配許容レベルまで急速充電してもよい。
【０１４５】
図１４は、１つの非限定的に示された実施形態による、図１と図２の収集充電分配装置を動作させる低レベルの方法１４００を示す。方法１４００は、図５の方法５００の一部を実行するのに役立つことがある。
【０１４６】
１４０２で、制御サブシステム２０２は、少なくとも部分的に第１の分配収集充電装置における携帯型電気エネルギー貯蔵装置の有無に基づいて、急速充電用に特定された第１の数又は組の携帯型電気エネルギー貯蔵装置を更新してもよい。例えば、制御サブシステムは、それぞれの収集充電分配装置に配置されているか又はそこにある携帯型電気エネルギー貯蔵装置の総数を考慮してもよい。
【０１４７】
図１５は、別の非限定的に示された実施形態による、図１と図２の収集充電分配装置を動作させる低レベルの方法１５００を示す。方法１５００は、図５の方法５００の一部を実行するのに役立つことがある。
【０１４８】
１５０２で、制御サブシステム２０２は、急速充電用に特定された携帯型電気エネルギー貯蔵装置を、第１の分配収集充電装置に現在着脱自在に配置されている携帯型電気エネルギー貯蔵装置の総数と、各携帯型電気エネルギー貯蔵装置のそれぞれの充電状態と、携帯型電気エネルギー貯蔵装置の少なくとも１つの充電率とに少なくとも部分的に基づいて更新してもよい。例えば、制御サブシステムは、それぞれの収集充電分配装置に配置されるか又はそこにある携帯型電気エネルギー貯蔵装置の総数と、それぞれの相対充電状態とを考慮してもよい。したがって、制御サブシステム２０２は、幾つかの他の携帯型電気エネルギー貯蔵装置を満充電又はほぼ満充電するために犠牲充電するのに十分な電荷を有する十分な携帯型電気エネルギー貯蔵装置があることを決定してもよい。あるいは、制御サブシステム２０２は、犠牲充電するのに十分な電荷を有する十分な携帯型電気エネルギー貯蔵装置がないことを決定してもよい。あるいは、制御サブシステム２０２は、犠牲が不要な十分に充電された十分な数の携帯型電気エネルギー貯蔵装置があることを決定してもよい。
【０１４９】
図１６は、別の非限定的に示された実施形態による、図１と図２の収集充電分配装置を動作させる低レベルの方法１６００を示す。方法１６００は、図５の方法５００の一部を実行するのに役立つことがある。
【０１５０】
１６０２で、制御サブシステム２０２は、犠牲充電用に利用できると特定された携帯型電気エネルギー貯蔵装置から得られる全累積電荷に少なくとも部分的に基づいて、急速充電用に特定された携帯型電気エネルギー貯蔵装置を更新してもよい。したがって、制御サブシステム２０２は、少なくとも幾つかの携帯型電気エネルギー貯蔵装置が、満充電又はほぼ満充電の状況又は状態で入手できるように全電荷を考慮してもよい。あるいは、制御サブシステムは、満充電又はほぼ満充電の状況又は状態でない場合でも、最大又は比較的多数の携帯型電気エネルギー貯蔵装置が利用できるようにしてもよい。
【０１５１】
図１７は、１つの非限定的に示された実施形態による、図１と図２の収集充電分配装置を動作させる低レベルの方法１７００を示す。方法１７００は図５の方法５００に役立つことがある。
【０１５２】
１７０２で、収集充電分配装置１０２の充電サブシステム２０４は、外部送電網から従量制電気設備を介して供給される電気設備パネルの幹線を介して、第１の数の携帯型電気エネルギー貯蔵装置に電流を導電供給する。充電サブシステム２０４は、１つ以上のスイッチを閉じて、第１の電力変換装置２３０を介して第１の数の携帯型電気エネルギー貯蔵装置を電気設備に電気的に接続してもよい（図２）。
【０１５３】
必要に応じて１７０４で、充電サブシステム２０４は、再生可能電源（例えば、太陽電池アレイ１１８（図１））によって、第１の数の携帯型電気エネルギー貯蔵装置に電流を導電供給する。充電サブシステム２０４は、１つ以上のスイッチを閉じて、第１の電力変換装置２３０（図２）又は専用電力変換装置（図示せず）によって、第１の数の携帯型電気エネルギー貯蔵装置をＰＶアレイ１１８に電気的に接続してもよい。
【０１５４】
１７０６で、充電サブシステム２０４は、第２の数の携帯型電気エネルギー貯蔵装置から電流を導電供給する。充電サブシステム２０４は、１つ以上のスイッチを閉じて、第２の電力変換装置２４２（図２）を介して第１の数の携帯型電気エネルギー貯蔵装置を電気設備に電気的に接続してもよい。
【０１５５】
本明細書で述べた様々な方法は、追加の行為を含んでもよく、幾つかの行為を省略してもよく、かつ／又は様々な流れ図に示されたものと異なる順序で行為を実行してもよい。
【０１５６】
以上の詳細な説明は、ブロック図、概略図及び実施例を使用して装置及び／又はプロセスの様々な実施形態を示した。そのようなブロック図、概略図及び実施例が、１つ以上の機能及び／又は動作を含む限り、そのようなブロック図、フローチャート又は実施例内の各機能及び／又は動作は、個別かつ／又は集合的に、広範囲のハードウェア、ソフトウェア、ファームウェア又はこれらの事実上任意の組み合わせによって実施できることは、当業者によって理解されるであろう。一実施形態では、この内容は、１つ以上のマイクロコントローラによって実現されてもよい。しかしながら、当業者は、本明細書で開示される実施形態が、全体的又は部分的に、標準集積回路（例えば、特定用途向け集積回路、即ちＡＳＩＣ）内で１つ以上のコンピュータによって実行される１つ以上のプログラム（例えば、１つ以上のコンピュータシステム上で動作する１つ以上のプログラムとして）、１つ以上のプロセッサによって実行される１つ以上のプログラムとして１つ以上のコントローラ（例えば、マイクロプロセッサ）によって実行された１つ以上のコンピュータプログラムとして、ファームウェアとして、又はこれらの事実上任意の組み合わせとして等しく実施することができ、回路の設計及び／又はソフトウェア及び／又はファームウェアのコードの記述が、この開示の教示に照らして当該技術の十分に範囲内にあることを理解するであろう。
【０１５７】
ロジックが、ソフトウェアとして実施され、メモリに記憶されたとき、ロジック又は情報は、任意のプロセッサ関連システム又は方法によって使用するかそれらと関連した任意の非一時的コンピュータ可読媒体上に記憶することできる。この開示の文脈では、メモリは、コンピュータ及び／又はプロセッサプログラムを非一時的に含むか又は記憶する電子的、磁気的、光学的、又は他の物理装置若しくは手段である非一時的コンピュータ及び／又はプロセッサ可読記憶媒体である。ロジック及び／又は情報は、命令実行システム、機器又は装置から命令をフェッチし、ロジック及び／又は情報と関連した命令を実行することができるコンピュータシステム、プロセッサ内蔵システム、他のシステムなどの、命令実行システム、機器又は装置によって又はそれらと関連して使用される任意のコンピュータ可読媒体で実施することができる。
【０１５８】
本明細書の文脈では、「コンピュータ可読媒体」は、命令実行システム、機器及び／又は装置によって又はそれらと関連して使用するためのロジック及び／又は情報と関連付けられたプログラムを記憶することができる任意の物理要素でよい。コンピュータ可読媒体には、例えば、電子、磁気、光、電磁気、赤外線、又は半導体システム、機器又は装置を挙げることができるがこれらに限定されない。コンピュータ可読媒体のより特定の例（非限定的リスト）には、ポータブルコンピュータディスケット（磁気、コンパクトフラッシュカード、セキュアデジタルなど）、ランダムアクセスメモリ（ＲＡＭ）、読み出し専用メモリ（ＲＯＭ）、消去可能プログラマブル読み出し専用メモリ（ＥＰＲＯＭ、ＥＥＰＲＯＭ又はＦｌａｓｈメモリ）、携帯型コンパクトディスク読み出し専用メモリ（ＣＤＲＯＭ）、及びデジタルテープが挙げられる。
【０１５９】
以上述べた様々な実施形態を組み合わせて、更に他の実施形態を提供することができる。本明細書における特定の教示及び定義と矛盾しない限り、本明細書で参照されかつ／又はアプリケーションデータシートに列挙された全ての米国特許、米国特許出願公報、米国特許出願、外国特許、外国特許出願及び非特許文献は、「ＡＰＰＡＲＡＴＵＳ，ＭＥＴＨＯＤ  ＡＮＤ  ＡＲＴＩＣＬＥ  ＦＯＲ  ＣＯＬＬＥＣＴＩＯＮ、ＣＨＡＲＧＩＮＧ  ＡＮＤ  ＤＩＳＴＲＩＢＵＴＩＮＧ  ＰＯＷＥＲ  ＳＴＯＲＡＧＥ  ＤＥＶＩＣＥＳ，ＳＵＣＨ  ＡＳ  ＢＡＴＴＥＲＩＥＳ」と題する米国仮特許出願第６１／５１１，９００号（代理人整理番号１７０１７８．４０１Ｐ１）、「ＡＰＰＡＲＡＴＵＳ，ＭＥＴＨＯＤ  ＡＮＤ  ＡＲＴＩＣＬＥ  ＦＯＲ  ＣＯＬＬＥＣＴＩＯＮ、ＣＨＡＲＧＩＮＧ  ＡＮＤ  ＤＩＳＴＲＩＢＵＴＩＮＧ  ＰＯＷＥＲ  ＳＴＯＲＡＧＥ  ＤＥＶＩＣＥＳ，ＳＵＣＨ  ＡＳ  ＢＡＴＴＥＲＩＥＳ」と題し２０１２年５月１６日に出願された米国仮特許出願第６１／６４７，９３６（代理人整理番号１７０１７８．４０１Ｐ２）、「ＡＰＰＡＲＡＴＵＳ、ＭＥＴＨＯＤ  ＡＮＤ  ＡＲＴＩＣＬＥ  ＦＯＲ  ＣＯＬＬＥＣＴＩＯＮ、ＣＨＡＲＧＩＮＧ  ＡＮＤ  ＤＩＳＴＲＩＢＵＴＩＮＧ  ＰＯＷＥＲ  ＳＴＯＲＡＧＥ  ＤＥＶＩＣＥＳ，ＳＵＣＨ  ＡＳ  ＢＡＴＴＥＲＩＥＳ」と題し２０１２年５月１６日に出願された米国仮特許出願第６１／６４７，９３６（代理人整理番号１７０１７８．４０１Ｐ２）、「ＡＰＰＡＲＡＴＵＳ」、ＭＥＴＨＯＤ  ＡＮＤ  ＡＲＴＩＣＬＥ  ＦＯＲ  ＲＥＤＩＳＴＲＩＢＵＴＩＮＧ  ＰＯＷＥＲ  ＳＴＯＲＡＧＥ  ＤＥＶＩＣＥＳ、ＳＵＣＨ  ＡＳ  ＢＡＴＴＥＲＩＥＳ、ＢＥＴＷＥＥＮ  ＣＯＬＬＥＣＴＩＯＮ、ＣＨＡＲＧＩＮＧ  ＡＮＤ  ＤＩＳＴＲＩＢＵＴＩＯＮ  ＭＡＣＨＩＮＥＳ」と題し２０１１年９月１４日に出願された米国仮特許出願第６１／５３４，７５３３５号（代理人整理番号１７０１７８．４０３Ｐ１）、「ＡＰＰＡＲＡＴＵＳ，ＭＥＴＨＯＤ  ＡＮＤ  ＡＲＴＩＣＬＥ  ＦＯＲ  ＡＵＴＨＥＮＴＩＣＡＴＩＯＮ、ＳＥＣＵＲＩＴＹ  ＡＮＤ  ＣＯＮＴＲＯＬ  ＯＦ  ＰＯＷＥＲ  ＳＴＯＲＡＧＥ  ＤＥＶＩＣＥＳ，ＳＵＣＨ  ＡＳ  ＢＡＴＴＥＲＩＥＳ、ＢＡＳＥＤ  ＯＮ  ＵＳＥＲ  ＰＲＯＦＩＬＥＳ」と題し２０１１年９月１４日に出願された米国仮特許出願第６１／５３４，７７２号（代理人整理番号１７０１７８．４０４Ｐ１）、「ＴＨＥＲＭＡＬ  ＭＡＮＡＧＥＭＥＮＴ  ＯＦ  ＣＯＭＰＯＮＥＮＴＳ  ＩＮ  ＥＬＥＣＴＲＩＣ  ＭＯＴＯＲ  ＤＲＩＶＥ  ＶＥＨＩＣＬＥＳ」と題し２０１１年７月２６日に出願された米国仮特許出願第６１／５１１，８８７号（代理人整理番号１７０１７８．４０６Ｐ１）、「ＴＨＥＲＭＡＬ  ＭＡＮＡＧＥＭＥＮＴ  ＯＦ  ＣＯＭＰＯＮＥＮＴＳ  ＩＮ  ＥＬＥＣＴＲＩＣ  ＭＯＴＯＲ  ＤＲＩＶＥ  ＶＥＨＩＣＬＥＳ」と題し２０１２年５月１６日に出願された米国仮特許出願第６１／６４７，９４１号（代理人整理番号１７０１７８．４０６Ｐ２）、「ＤＹＮＡＭＩＣＡＬＬＹ  ＬＩＭＩＴＩＮＧ  ＶＥＨＩＣＬＥ  ＯＰＥＲＡＴＩＯＮ  ＦＯＲ  ＢＥＳＴ  ＥＦＦＯＲＴ  ＥＣＯＮＯＭＹ」と題し２０１１年７月２６日に出願された米国仮特許出願第６１／５１１，８８０号（代理人整理番号１７０１７８．４０７Ｐ１）、「ＡＰＰＡＲＡＴＵＳ、ＭＥＴＨＯＤ，ＡＮＤ  ＡＲＴＩＣＬＥ  ＦＯＲ  ＰＨＹＳＩＣＡＬ  ＳＥＣＵＲＩＴＹ  ＯＦ  ＰＯＷＥＲ  ＳＴＯＲＡＧＥ，ＤＥＶＩＣＥＳ  ＩＮ  ＶＥＨＩＣＬＥＳ」と題し２０１１年１１月８日に出願された米国仮特許出願第６１／５５７，１７０号（代理人整理番号１７０１７８．４０８Ｐ１）、「ＡＰＰＡＲＡＴＵＳ，ＭＥＴＨＯＤ  ＡＮＤ  ＡＲＴＩＣＬＥ  ＦＯＲ  Ａ  ＰＯＷＥＲ  ＳＴＯＲＡＧＥ  ＤＥＶＩＣＥ，ＣＯＭＰＡＲＴＭＥＮＴ」と題し２０１１年１２月２９日に出願された米国仮特許出願第６１／５８１，５６６号（代理人整理番号１７０１７８．４１２Ｐ１）、「ＡＰＰＡＲＡＴＵＳ，ＭＥＴＨＯＤ  ＡＮＤ  ＡＲＴＩＣＬＥ  ＦＯＲ  ＰＲＯＶＩＤＩＮＧ  ＶＥＨＩＣＬＥ  ＤＩＡＧＮＯＳＴＩＣ  ＤＡＴＡ」と題し２０１２年２月２１日に出願された米国仮特許出願第６１／６０１，４０４号（代理人整理番号１７０１７８．４１７Ｐ１）、「ＡＰＰＡＲＡＴＵＳ，ＭＥＴＨＯＤ  ＡＮＤ  ＡＲＴＩＣＬＥ  ＦＯＲ  ＰＲＯＶＩＤＩＮＧ  ＬＯＣＡＴＩＯＮＳ  ＯＦ  ＰＯＷＥＲ，ＳＴＯＲＡＧＥ  ＤＥＶＩＣＥ  ＣＯＬＬＥＣＴＩＯＮ，ＣＨＡＲＧＩＮＧ  ＡＮＤ  ＤＩＳＴＲＩＢＵＴＩＯＮ  ＭＡＣＨＩＮＥＳ」と題し２０１２年２月２２日に出願された米国仮特許出願第６１／６０１，９４９号（代理人整理番号１７０１７８．４１８Ｐ１）、及び「ＡＰＰＡＲＡＴＵＳ，ＭＥＴＨＯＤ  ＡＮＤ  ＡＲＴＩＣＬＥ  ＦＯＲ  ＰＲＯＶＩＤＩＮＧ  ＩＮＦＯＲＭＡＴＩＯＮ  ＲＥＧＡＲＤＩＮＧ  ＡＶＡＩＬＡＢＩＬＩＴＹ、ＯＦ  ＰＯＷＥＲ  ＳＴＯＲＡＧＥ  ＤＥＶＩＣＥＳ  ＡＴ  Ａ  ＰＯＷＥＲ  ＳＴＯＲＡＧＥ、ＤＥＶＩＣＥ  ＣＯＬＬＥＣＴＩＯＮ，ＣＨＡＲＧＩＮＧ  ＡＮＤ  ＤＩＳＴＲＩＢＵＴＩＯＮ  ＭＡＣＨＩＮＥ」と題し２０１２年２月２２日に出願された米国仮特許出願第６１／６０１，９５３号（代理人整理番号１７０１７８．４１９Ｐ）、２０１２年７月２６日に出願され、発明者としてＨｏｋ−Ｓｕｍ  Ｈｏｒａｃｅ  Ｌｕｋｅ及びＭａｔｔｈｅｗ  Ｗｈｉｔｉｎｇ  Ｔａｙｌｏｒを指定し、「ＡＰＰＡＲＡＴＵＳ、ＭＥＴＨＯＤ  ＡＮＤ  ＡＲＴＩＣＬＥ  ＦＯＲ  ＡＵＴＨＥＮＴＩＣＡＴＩＯＮ、ＳＥＣＵＲＩＴＹ  ＡＮＤ  ＣＯＮＴＲＯＬ  ＯＦ  ＰＯＷＥＲ  ＳＴＯＲＡＧＥ  ＤＥＶＩＣＥＳ  ＳＵＣＨ  ＡＳ  ＢＡＴＴＥＲＩＥＳ」と題する米国出願第＿＿＿＿＿＿＿＿＿号（代理人整理番号１７０１７８．４０３）、２０１２年７月２６日に出願され、発明者としてＨｏｋ−Ｓｕｍ  Ｈｏｒａｃｅ  ＬｕｋｅとＭａｔｔｈｅｗ  Ｗｈｉｔｉｎｇ  Ｔａｙｌｏｒを指定し、「ＤＹＮＡＭＩＣＡＬＬＹ  ＬＩＭＩＴＩＮＧ  ＶＥＨＩＣＬＥ  ＯＰＥＲＡＴＩＯＮ  ＦＯＲ  ＢＥＳＴ  ＥＦＦＯＲＴ  ＥＣＯＮＯＭＹ」と題する米国出願番号＿＿＿＿＿＿＿号（代理人整理番号１７０１７８．４０７）、２０１２年７月２６日に出願され、発明者としてＭａｔｔｈｅｗ  Ｗｈｉｔｉｎｇ  Ｔａｙｌｏｒ，Ｙｉ−Ｔｓｕｎｇ  Ｗｕ，Ｈｏｋ−Ｓｕｍ  Ｈｏｒａｃｅ  Ｌｕｋｅ及びＨｕａｎｇ−Ｃｈｅｎｇ  Ｈｕｎｇを指定し、「ＡＰＰＡＲＡＴＵＳ、ＭＥＴＨＯＤ、ＡＮＤ  ＡＲＴＩＣＬＥ  ＦＯＲ  ＰＨＹＳＩＣＡＬ  ＳＥＣＵＲＩ���Ｙ  ＯＦ  ＰＯＷＥＲ  ＳＴＯＲＡＧＥ、ＤＥＶＩＣＥＳ  ＩＮ  ＶＥＨＩＣＬＥＳ」と題する米国出願第＿＿＿＿＿＿＿＿＿号（代理人整理番号１７０１７８．４０８）、２０１２年７月２６日に出願され、発明者としてＣｈｉｎｇ  Ｃｈｅｎ，Ｈｏｋ−Ｓｕｍ  Ｈｏｒａｃｅ  Ｌｕｋｅ，Ｍａｔｔｈｅｗ  Ｗｈｉｔｉｎｇ  Ｔａｙｌｏｒ，Ｙｉ−Ｔｓｕｎｇ  Ｗｕを指定し、「ＡＰＰＡＲＡＴＵＳ，ＭＥＴＨＯＤ  ＡＮＤ  ＡＲＴＩＣＬＥ  ＦＯＲ  ＰＲＯＶＩＤＩＮＧ  ＶＥＨＩＣＬＥ  ＤＩＡＧＮＯＳＴＩＣ  ＤＡＴＡ」と題する米国出願第＿＿＿＿＿＿号（代理人整理番号１７０１７８．４１７）、２０１２年７月２６日に出願され、発明者としてＹｉ−Ｔｓｕｎｇ  Ｗｕ，Ｍａｔｔｈｅｗ  Ｗｈｉｔｉｎｇ  Ｔａｙｌｏｒ，Ｈｏｋ−Ｓｕｍ  Ｈｏｒａｃｅ  Ｌｕｋｅ及びＪｕｎｇ−Ｈｓｉｕ  Ｃｈｅｎを指定し、「ＡＰＰＡＲＡＴＵＳ、ＭＥＴＨＯＤ  ＡＮＤ  ＡＲＴＩＣＬＥ  ＦＯＲ  ＰＲＯＶＩＤＩＮＧ  ＩＮＦＯＲＭＡＴＩＯＮ  ＲＥＧＡＲＤＩＮＧ  ＡＶＡＩＬＡＢＩＬＩＴＹ、ＯＦ  ＰＯＷＥＲ  ＳＴＯＲＡＧＥ  ＤＥＶＩＣＥＳ  ＡＴ  Ａ  ＰＯＷＥＲ  ＳＴＯＲＡＧＥ、ＤＥＶＩＣＥ  ＣＯＬＬＥＣＴＩＯＮ、ＣＨＡＲＧＩＮＧ  ＡＮＤ  ＤＩＳＴＲＩＢＵＴＩＯＮ  ＭＡＣＨＩＮＥ」と題する米国出願第＿＿＿＿＿＿＿＿号（代理人整理番号１７０１７８．４１９）、及び２０１２年７月２６日に出願され、発明者としてＨｏｋ−Ｓｕｍ  Ｈｏｒａｃｅ  Ｌｕｋｅ，Ｙｉ−Ｔｓｕｎｇ  Ｗｕ，Ｊｕｎｇ−Ｈｓｉｕ  Ｃｈｅｎ，Ｙｕｌｉｎ  Ｗｕ，Ｃｈｉｅｎ  Ｍｉｎｇ  Ｈｕａｎｇ，ＴｓｕｎｇＴｉｎｇ  Ｃｈａｎ，Ｓｈｅｎ−Ｃｈｉ  Ｃｈｅｎ及びＦｅｎｇ  Ｋａｉ  Ｙａｎｇを指定し、「ＡＰＰＡＲＡＴＵＳ、ＭＥＴＨＯＤ  ＡＮＤ  ＡＲＴＩＣＬＥ  ＦＯＲ  ＲＥＳＥＲＶＩＮＧ  ＰＯＷＥＲ  ＳＴＯＲＡＧＥ  ＤＥＶＩＣＥＳ、ＡＴ  ＲＥＳＥＲＶＩＮＧ  ＰＯＷＥＲ  ＳＴＯＲＡＧＥ  ＤＥＶＩＣＥ  ＣＯＬＬＥＣＴＩＯＮ、ＣＨＡＲＧＩＮＧ  ＡＮＤ  ＤＩＳＴＲＩＢＵＴＩＯＮ  ＭＡＣＨＩＮＥＳ」と題する米国出願第＿＿＿＿＿＿＿号（代理人整理番号１７０１７８．４２３）を限定なしに含み、参照により全体が本明細書に組み込まれる。実施形態の態様は、必要に応じて、更に他の実施形態を提供するために様々な特許、出願及び出版物のシステム、回路及び概念を使用するように改良されてもよい。
【０１６０】
全電気スクータ及び／又はモーターバイクなどの個人用運搬車両と共に使用するための携帯型電気エネルギー貯蔵装置を収集、充電、分配する環境と文脈で概略的に述べてきたが、本明細書の教示が、他の車両並びに非車両環境を含む種々様々な他の環境にも適用される。
【０１６１】
要約に示したものを含む図示された実施形態の以上の説明は、網羅的でもなく、実施形態を開示した厳密な形態に制限するものでもない。特定の実施形態及び例は、説明のために本明細書に記載され、当業者によって理解されるように、開示の趣旨及び範囲から逸脱せず様々な等価な改良を行うことができる。
【０１６２】
以上その他の変更は、以上詳述した説明を考慮して実施形態に行なうことができる。一般に、以下の特許請求の範囲において、使用される用語は、特許請求の範囲を明細書に開示された特定の実施形態と特許請求の範囲に限定するように解釈されるべきでないだけなく、そのような特許請求の範囲が与える等価物の全範囲と共に全ての可能な実施形態を含むように解釈されるべきである。したがって、特許請求の範囲は、この開示によって限定されない。
【符号の説明】
【０１６３】
１０２、２０４、２０６  充電サブシステム
１０６  携帯型電力エネルギー貯蔵装置
２０２  制御サブシステム
２０８  ユーザインタフェースサブシステム
【図１】
2014527390.tif 000003
【図２】
2014527390.tif 000004
【図３】
2014527390.tif 000005
【図４】
2014527390.tif 000006
【図５】
2014527390.tif 000007
【図６】
2014527390.tif 000008
【図７】
2014527390.tif 000009
【図８】
2014527390.tif 000010
【図９】
2014527390.tif 000011
【図１０】
2014527390.tif 000012
【図１１】
2014527390.tif 000013
【図１２】
2014527390.tif 000014
【図１３】
2014527390.tif 000015
【図１４】
2014527390.tif 000016
【図１５】
2014527390.tif 000017
【図１６】
2014527390.tif 000018
【図１７】
2014527390.tif 000019
【国際調査報告】
2014527390.tif 000020
2014527390.tif 000021